(57)【要約】  物理ダウンリンク共有チャネル（ＰＤＳＣＨ）を受信するためのユーザ装置（ＵＥ）を説明する。本ＵＥは、プロセッサと、該プロセッサと電子通信しているメモリ中に格納された命令とを含む。該ＵＥは、スケジューリング・サブフレーム中の物理ダウンリンク制御チャネル（ＰＤＣＣＨ）および拡張ＰＤＣＣＨ（ＥＰＤＣＣＨ）のうちの一つ以上に対するモニタリングをする。該ＵＥは、スケジューリング対象サブフレームに対しＰＤＳＣＨがスケジューリングされているかどうかを判定する。
2016503246.tif 000002
【特許請求の範囲】
【請求項１】
物理ダウンリンク共有チャネル（ＰＤＳＣＨ）を受信するためのユーザ装置（ＵＥ）であって、前記ＵＥは、
プロセッサと、
前記プロセッサと電子通信しているメモリと、
を含み、
前記メモリ中に格納されている命令は、
スケジューリング・サブフレーム中の物理ダウンリンク制御チャネル（ＰＤＣＣＨ）および拡張ＰＤＣＣＨ（ＥＰＤＣＣＨ）のうちの一つ以上に対するモニタリングをし、
スケジューリング対象サブフレームに対しＰＤＳＣＨがスケジューリングされているかどうかを判定する、
ために実行可能である、
ＵＥ。
【請求項２】
前記スケジューリング・サブフレームが、前記スケジューリング対象サブフレームに先行しているか、または前記スケジューリング対象サブフレームと同じサブフレームであるかどうかの指示が、前記スケジューリング・サブフレーム中のＰＤＣＣＨおよびＥＰＤＣＣＨのうちの一つ以上に含まれる、請求項１に記載のＵＥ。
【請求項３】
前記スケジューリング・サブフレームと前記スケジューリング対象サブフレームとの間のタイミング・アソシエーションが事前定義されている、請求項２に記載のＵＥ。
【請求項４】
物理ダウンリンク共有チャネル（ＰＤＳＣＨ）を送信するための進化型ノードＢ（ｅＮＢ）であって、前記ｅＮＢは、
プロセッサと、
前記プロセッサと電子通信しているメモリと、
を含み、
前記メモリ中に格納されている命令は、
スケジューリング・サブフレーム中の前記ＰＤＣＣＨおよび前記ＥＰＤＣＣＨのうちの前記一つ以上の中において、前記スケジューリング・サブフレームが、スケジューリング対象サブフレームに先行しているか、または前記スケジューリング対象サブフレームと同じサブフレームであるかどうかを指示するために実行可能である、
ｅＮＢ。
【請求項５】
前記スケジューリング・サブフレームと前記スケジューリング対象サブフレームとの間のタイミング・アソシエーションが事前定義されている、請求項４に記載のｅＮＢ。
【請求項６】
ユーザ装置（ＵＥ）によって物理ダウンリンク共有チャネル（ＰＤＳＣＨ）を受信する方法であって、前記方法は、
スケジューリング・サブフレーム中の物理ダウンリンク制御チャネル（ＰＤＣＣＨ）および拡張ＰＤＣＣＨ（ＥＰＤＣＣＨ）のうちの一つ以上に対し、ダウンリンクについてモニタリングをするステップと、
スケジューリング対象サブフレームに対しＰＤＳＣＨがスケジューリングされているかどうかを判定するステップと、
を含む方法。
【請求項７】
前記スケジューリング・サブフレームが、前記スケジューリング対象サブフレームに先行しているか、または前記スケジューリング対象サブフレームと同じサブフレームであるかどうかの指示が、前記スケジューリング・サブフレーム中のＰＤＣＣＨおよびＥＰＤＣＣＨのうちの一つ以上に含まれる、請求項６に記載の方法。
【請求項８】
前記スケジューリング・サブフレームと前記スケジューリング対象サブフレームとの間のタイミング・アソシエーションが事前定義されている、請求項７に記載の方法。
【請求項９】
進化型ノードＢ（ｅＮＢ）によって物理ダウンリンク共有チャネル（ＰＤＳＣＨ）を動的に送信する方法であって、前記方法は、
スケジューリング・サブフレーム中の前記ＰＤＣＣＨおよび前記ＥＰＤＣＣＨのうちの前記一つ以上において、前記スケジューリング・サブフレームが、スケジューリング対象サブフレームに先行しているか、または前記スケジューリング対象サブフレームと同じサブフレームであるかどうかを指示するステップ、
を含む方法。
【請求項１０】
前記スケジューリング・サブフレームと前記スケジューリング対象サブフレームとの間のタイミング・アソシエーションが事前定義されている、請求項９に記載の方法。
【発明の詳細な説明】
【技術分野】
【０００１】
本開示は、一般的に通信システムに関する。さらに具体的には、本開示は、フレキシブル・サブフレームを動的に設定するためのシステムおよび方法に関する。
【背景技術】
【０００２】
ワイヤレス通信デバイスは、消費者の必要を満たし、携帯性および便宜性を向上するために、より小型でより強力になってきた。消費者は、ワイヤレス通信デバイスに依存するようになり、信頼できるサービス、拡大されたサービス・エリアおよび機能の増大を期待している。ワイヤレス通信システムは、多くのワイヤレス通信デバイスに通信を提供することができ、これらデバイスの各々は、基地局からサービスを受けることが可能である。基地局は、ワイヤレス通信デバイスと交信するデバイスとすることができる。
【０００３】
ワイヤレス通信デバイスが進展するにつれて、通信容量、速度、フレキシビリティおよび／または効率の向上が求められてきている。しかしながら、通信容量、速度、フレキシビリティおよび／または効率を向上するためにはいくつかの問題があり得る。
【０００４】
例えば、通信リソースの非効率的な使用は、エネルギおよび他のネットワーク・リソースを消耗する。本明細書で示すような、エネルギ消費および／またはネットワーク効率を改良するシステムおよび方法が有益であろう。
【発明の概要】
【課題を解決するための手段】
【０００５】
本発明の一実施形態は、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信するためのユーザ装置（ＵＥ：ｕｓｅｒ  ｅｑｕｉｐｍｅｎｔ）を開示する。ＵＥは、プロセッサ、および該プロセッサと電子通信しているメモリを含む。メモリ中に格納された命令は、スケジューリング・サブフレーム中の物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）および拡張ＰＤＣＣＨ（ＥＰＤＣＣＨ：ｅｎｈａｎｃｅｄ  ＰＤＣＣＨ）のうちの一つ以上に対するモニタリングをするために実行可能である。また、これらの命令は、スケジューリング対象サブフレームに対しＰＤＳＣＨがスケジューリングされているかどうかを判定するためにも実行可能である。
【０００６】
本発明の一実施形態は、物理ダウンリンク共有チャネル（ＰＤＳＣＨ）を送信するための進化型ノードＢ（ｅＮＢ：ｅｖｏｌｖｅｄ  Ｎｏｄｅ  Ｂ）を開示する。ｅＮＢは、プロセッサ、および該プロセッサと電子通信しているメモリを含む。メモリ中に格納された命令は、スケジューリング・サブフレーム中のＰＤＣＣＨおよびＥＰＤＣＣＨのうちの一つ以上において、スケジューリング・サブフレームが、スケジューリング対象サブフレームに先行しているか、または該スケジューリング対象サブフレームと同じサブフレームであるかどうかを指示するために、実行可能である。
【０００７】
本発明の一実施形態は、ユーザ装置（ＵＥ）によって物理ダウンリンク共有チャネル（ＰＤＳＣＨ）を受信する方法を開示する。本方法は、スケジューリング・サブフレーム中の物理ダウンリンク制御チャネル（ＰＤＣＣＨ）および拡張ＰＤＣＣＨ（ＥＰＤＣＣＨ）のうちの一つ以上に対し、ダウンリンクについてモニタリングをするステップを含む。また、本方法は、スケジューリング対象サブフレームに対し、ＰＤＳＣＨがスケジューリングされているかどうかを判定するステップを含む。
【０００８】
本発明の一実施形態は、進化型ノードＢ（ｅＮＢ）によって物理ダウンリンク共有チャネル（ＰＤＳＣＨ）を動的に送信する方法を開示する。本方法は、スケジューリング・サブフレーム中のＰＤＣＣＨおよびＥＰＤＣＣＨのうちの一つ以上において、該スケジューリング・サブフレームが、スケジューリング対象サブフレームに先行しているか、またはスケジューリング対象サブフレームと同じサブフレームであるかどうかを指示するステップを含む。
【図面の簡単な説明】
【０００９】
【図１】フレキシブル・サブフレームを動的に設定するためのシステムおよび方法を実装可能な、一つ以上の進化型ノードＢ（ｅＮＢ）および一つ以上のユーザ装置（ＵＥ）の一構成を示すブロック図である。
【図２】ＵＥによって、フレキシブル・サブフレームを動的に設定する方法の一構成を示すフロー図である。
【図３】ｅＮＢによって、フレキシブル・サブフレームを動的に設定する方法の一構成を示すフロー図である。
【図４】本明細書で開示するシステムおよび方法に従って用いることが可能な無線フレームの一例を示す図である。
【図５】ＵＥによってフレキシブル・サブフレームを動的に設定する方法のさらに具体的な構成を示すフロー図である。
【図６】ｅＮＢによってフレキシブル・サブフレームを動的に設定する方法のさらに具体的な構成を示すフロー図である。
【図７】本明細書で開示するシステムおよび方法に従って用いることが可能なアップリンクおよびダウンリンク（ＵＬ−ＤＬ：ｕｐｌｉｎｋ−ｄｏｗｎｌｉｎｋ）構成の一例を示す図である。
【図８】本明細書で開示するシステムおよび方法を適用することが可能ないくつかのＵＬ−ＤＬ構成を示す図である。
【図９】ＵＥによってフレキシブル・サブフレームを動的に設定する方法の別のさらに具体的な構成を示すフロー図である。
【図１０】物理ダウンリンク共有チャネル（ＰＤＳＣＨ）の指示および／またはスケジューリングのうちの一つ以上のために用いることが可能なサブフレームのいくつかの例を示す。
【図１１】ＵＥ中で使用可能な様々なコンポーネントを示す。
【図１２】ｅＮＢ中で使用可能な様々なコンポーネントを示す。
【図１３】キャリア・アグリゲーションに対する特殊サブフレーム設定のためのシステムおよび方法の実装が可能な、ＵＥの一構成を示すブロック図である。
【図１４】キャリア・アグリゲーションに対する特殊サブフレーム設定のためのシステムおよび方法の実装が可能な、ｅＮＢの一構成を示すブロック図である。
【発明を実施するための形態】
【００１０】
フレキシブル・サブフレームを動的に設定するためのＵＥについて説明する。本ＵＥは、プロセッサ、および該プロセッサと電子通信しているメモリを含む。メモリ中に格納された命令は、或るサブフレームがフレキシブル・サブフレームであることを判定するために実行可能である。また、これら命令は、フレキシブル・サブフレームに対してダウンリンクが指示されているかどうかを判定するためにも実行可能である。これら命令は、該フレキシブル・サブフレームをダウンリンク・サブフレームとして設定するためにさらに実行可能である。
【００１１】
これら命令は、ダウンリンクが指示されている場合、フレキシブル・サブフレームに対するダウンリンクについて、フレキシブル・サブフレーム中のＰＤＣＣＨおよび／またはＥＰＤＣＣＨに対するモニタリングをするためにも実行可能とすることができる。これら命令は、ダウンリンクが指示されない場合、ダウンリンクについて、フレキシブル・サブフレーム中のＰＤＣＣＨおよび／またはＥＰＤＣＣＨに対するモニタリングを回避するためにさらに実行可能とすることができる。ダウンリンクが指示されているかどうかの判定は、フレキシブル・サブフレームに先行する指示サブフレームに対するモニタリングを含んでもよい。この指示サブフレームは、当該フレキシブル・サブフレームの前の直近のダウンリンク・サブフレームとすればよい。
【００１２】
フレキシブル・サブフレームを動的に設定するためのＵＥについて説明する。本ＵＥは、プロセッサ、および該プロセッサと電子通信しているメモリを含む。メモリ中に格納された命令は、フレキシブル・サブフレームに対するダウンリンクについて、ＰＤＣＣＨおよび／またはＥＰＤＣＣＨに対するモニタリングをするために実行可能である。また、これら命令は、フレキシブル・サブフレームに対しＰＤＳＣＨがスケジューリングされているかどうかを判定するためにも実行可能である。
【００１３】
ＰＤＣＣＨおよび／またはＥＰＤＣＣＨに対するモニタリングは、当該フレキシブル・サブフレームに先行するスケジューリング・サブフレーム中のＰＤＣＣＨおよび／またはＥＰＤＣＣＨに対するモニタリングを含んでもよい。このスケジューリング・サブフレームは、当該フレキシブル・サブフレームの前の直近のダウンリンク・サブフレームとすることもできる。
【００１４】
フレキシブル・サブフレームをダウンリンク・サブフレームとして動的に設定するためのｅＮＢについて説明する。本ｅＮＢは、プロセッサ、および該プロセッサと電子通信しているメモリを含む。メモリ中に格納された命令は、或るサブフレームがフレキシブル・サブフレームであることを判定するために実行可能である。また、これら命令は、フレキシブル・サブフレームに先行する指示サブフレームを介して該フレキシブル・サブフレームのダウンリンクを指示するためにも実行可能である。
【００１５】
或るサブフレームがフレキシブル・サブフレームであるかどうかの判定は、第一基準ＵＬ−ＤＬ構成と第二基準ＵＬ−ＤＬ構成とにおいてサブフレームの型が異なっているかどうかの判定を含んでもよい。指示サブフレームは、当該フレキシブル・サブフレームの前の直近のダウンリンク・サブフレームとすればよい。
【００１６】
これら命令は、フレキシブル・サブフレームに対しダウンリンクをスケジューリングするためにさらに実行可能とすることができる。ダウンリンクの指示およびダウンリンクのスケジューリングは、指示サブフレーム中のＰＤＣＣＨまたはＥＰＤＣＣＨによって実施することができる。ダウンリンクの指示には、指示サブフレーム中のダウンリンク指示の送信を含めることができ、ダウンリンクのスケジューリングは、フレキシブル・サブフレーム中のＰＤＣＣＨまたはＥＰＤＣＣＨによって実施することができる。ダウンリンクのスケジューリングは、ＰＵＳＣＨのスケジューリング・タイミングに基づけばよい。ダウンリンクのスケジューリングは、指示サブフレームとフレキシブル・サブフレームとの間のサブフレームの数を示すサブフレームのオフセット値の送信を含んでもよい。
【００１７】
ＵＥによってフレキシブル・サブフレームを動的に設定する方法について説明する。本方法は、或るサブフレームがフレキシブル・サブフレームであることを判定するステップを含む。また、本方法は、フレキシブル・サブフレームに対するダウンリンクが指示されているかどうかを判定するステップを含む。本方法は、フレキシブル・サブフレームをダウンリンク・サブフレームとして設定するステップをさらに含む。
【００１８】
ＵＥによってフレキシブル・サブフレームを動的に設定する方法について説明する。本方法は、或るサブフレームがフレキシブル・サブフレームであることを判定するステップを含む。また、本方法は、フレキシブル・サブフレームに対するダウンリンクについて、ＰＤＣＣＨおよび／またはＥＰＤＣＣＨに対するモニタリングをするステップを含む。さらに、本方法は、フレキシブル・サブフレームに対しＰＤＳＣＨがスケジューリングされているかどうかを判定するステップも含む。
【００１９】
ｅＮＢによって、ダウンリンク・サブフレームとしてフレキシブル・サブフレームを動的に設定する方法について説明する。本方法は、或るサブフレームがフレキシブル・サブフレームであることを判定するステップを含む。また、本方法は、フレキシブル・サブフレームに先行する指示サブフレームを介してフレキシブル・サブフレームに対するダウンリンクを指示するステップを含む。
【００２０】
「３ＧＰＰ」とも言われる第三世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第三および第四世代ワイヤレス通信システムに対する全世界的に適用可能な技術仕様書および技術レポートを定義することを目的とした、コラボレーション協定である。３ＧＰＰは、次世代のモバイル・ネットワーク、システム、およびデバイスに対する仕様を定義し得る。
【００２１】
３ＧＰＰロング・ターム・エボリューション（ＬＴＥ：Ｌｏｎｇ  Ｔｅｒｍ  Ｅｖｏｌｕｔｉｏｎ）は、将来的な要求事項に対処するべくユニバーサル・モバイル・テレコミュニケーション・システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）携帯電話またはデバイス規格を改良するためのプロジェクトに与えられた名称である。一局面において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に対するサポートと仕様書とを提供するために修正されている。
【００２２】
本明細書で開示されたシステムおよび方法の少なくとも一部の態様は、３ＧＰＰ  ＬＴＥ、ＬＴＥ拡張型（ＬＴＥ−Ａ：ＬＴＥ−Ａｄｖａｎｃｅｄ）、および他の諸規格（例えば、３ＧＰＰのリリース８、９、１０、および／または１１）に関連させて説明することができる。但し、本開示の範囲はこれに限定されるものではない。本明細書で開示するシステムおよび方法の少なくとも一部の態様は、他の種類のワイヤレス通信システムで用いることが可能である。
【００２３】
ワイヤレス通信デバイスは、基地局に音声および／またはデータを通信するために使われる電子デバイスとすることができ、基地局は、これを受けてデバイス群のネットワーク（例えば、公衆交換電話ネットワーク（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信することができる。本明細書のシステムおよび方法の説明において、ワイヤレス通信デバイスは、別称として、移動局、ＵＥ、アクセス端末、加入者局、移動端末、遠隔局、ユーザ端末、端末、加入者ユニット、移動デバイスなどと呼ばれることがある。ワイヤレス通信デバイスの例には、携帯電話、スマート・フォン、携帯情報端末（ＰＤＡ：ｐｅｒｓｏｎａｌ  ｄｉｇｉｔａｌ  ａｓｓｉｓｔａｎｔ）、ラップトップ・コンピュータ、ネットブック、電子リーダ、ワイヤレス・モデムなどが含まれる。３ＧＰＰ仕様書の中で、ワイヤレス通信デバイスは一般にＵＥと称される。但し、本開示の範囲は３ＧＰＰ規格に限定されるものではないので、本明細書では、用語「ＵＥ」と「ワイヤレス通信デバイス」とは互換的に用いられることがあり、より一般的な用語「ワイヤレス通信デバイス」を意味する。
【００２４】
３ＧＰＰ仕様書では、基地局は、通常、ノードＢ、ｅＮＢ、ホーム改良型ノードＢもしくはホーム進化型ノードＢ（ＨｅＮＢ：ｈｏｍｅ  ｅｎｈａｎｃｅｄ  Ｎｏｄｅ  Ｂもしくはｈｏｍｅ  ｅｖｏｌｖｅｄ  Ｎｏｄｅ  Ｂ）または何等か他の類似の用語で呼称されている。本開示の範囲は３ＧＰＰ規格に限定されるものではないので、本明細書では、用語「基地局」、「ノードＢ」、「ｅＮＢ」、および「ＨｅＮＢ」は互換的に用いられることがあり、より一般的な用語「基地局」を意味する。さらに、用語「基地局」は、アクセス・ポイントを示すために使われることがある。アクセス・ポイントは、ワイヤレス通信デバイスに対し、ネットワーク（例えば、ローカル・エリア・ネットワーク（ＬＡＮ：Ｌｏｃａｌ  Ａｒｅａ  Ｎｅｔｗｏｒｋ）、インターネットなど）へのアクセスを提供する電子デバイスとすることができる。用語「通信デバイス」は、ワイヤレス通信デバイスおよび／または基地局の双方を示すために用いられることがある。
【００２５】
なお、本明細書での使用において、「セル」とは、国際移動通信アドバンスト（ＩＭＴ−アドバンスト：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）またはその拡張版の使用対象として、標準として規定されるかまたは規制当局に管理され得る、ＵＥとｅＮＢとの間の通信のためのプロトコルを介する任意の通信チャネル（群）であって、該チャネルの全体またはそのサブセットが、３ＧＰＰによって、ｅＮＢとＵＥとの間の通信のために使用する認可帯域（例えば、周波数帯域）として採用され得る、該通信チャネル（群）を言うこともある。「構成セル」は、ＵＥが認識し、ｅＮＢによって情報を送信または受信することを許可されているセル群である。「構成セル（群）」は、サービス中のセル（群）とすることができる。ＵＥは、システム情報を受信し、全ての構成セルに対して必要な測定を行うことができる。「作動セル」は、ＵＥが送受信を行っている構成セルである。すなわち、「作動セル」は、ＵＥが物理ダウンリンク制御チャネル（ＰＤＣＣＨ）をモニタリングしている対象のセルであり、ダウンリンク送信の場合は、ＵＥがＰＤＳＣＨを復号する対象のセルである。「非作動セル」は、ＵＥが送信ＰＤＣＣＨをモニタリングしていない構成セルである。なお、「セル」は、異なる側面に関して記載されることもある。例えば「セル」は、時間的、空間的（例えば、地理的）および周波数的な特質を有し得る。
【００２６】
トラフィック・アダプテーションによる強化された干渉軽減（ｅＩＭＴＡ：Ｅｎｈａｎｃｅｄ  ｉｎｔｅｒｆｅｒｅｎｃｅ  ｍｉｔｉｇａｔｉｏｎ  ｗｉｔｈ  ｔｒａｆｆｉｃ  ａｄａｐｔａｔｉｏｎ）は、時分割二重（ＴＤＤ：ｔｉｍｅ−ｄｉｖｉｓｉｏｎ  ｄｕｐｌｅｘ）ＬＴＥネットワークに対する主題であり、これは、トラフィック負荷に基づく動的アップリンク−ダウンリンク（ＵＬ-ＤＬ）割り当てを用いて、送信スペクトルのさらにフレキシブルな使用を可能にすることができる。ｅＩＭＴＡを用いて、ＵＬ−ＤＬの設定を動的に変更することが可能である。例えば、フレキシブル・サブフレームと呼ばれる一部のサブフレームは、ダウンリンク・サブフレームもしくはアップリンク・サブフレームのいずれにも用いることができ、これら２つの間での転換が可能である。いくつかの構成によれば、フレキシブル・サブフレームは、先行する固定ダウンリンク・サブフレーム中にＰＤＳＣＨがスケジューリングされている場合にだけ、ダウンリンク・サブフレームとして用いることができる。フレキシブル・サブフレームの動的な転換は、ｅＩＭＴＡの一つの機能とされ得る。本明細書で開示するシステムおよび方法では、ｅＩＭＴＡのサポートおよびエネルギ節減を使ったＵＥの動作を説明する。
【００２７】
本明細書で開示するシステムおよび方法は、フレキシブル・サブフレームを、ダウンリンク・サブフレームとして動的に設定することを可能にする。本システムおよび方法のいくつかの実装では、フレキシブル・サブフレームに対する、ＰＤＳＣＨスケジューリングおよびダウンリンク指示（またはダウンリンク・グラント）によるアプローチを説明する。具体的には、指示サブフレームによって、フレキシブル・サブフレームに対するＰＤＳＣＨを指示することができる。指示サブフレームは、当該フレキシブル・サブフレームの前に送信することができ、フレキシブル・サブフレームの前に受信することができる。いくつかの実装において、ＵＥは、フレキシブル・サブフレームに対するＰＤＳＣＨが指示されている場合、そのフレキシブル・サブフレームをダウンリンク・サブフレームとしてモニタリングすることが可能である。また、いくつか実装において、フレキシブル・サブフレームの前に来る指示サブフレームによって、フレキシブル・サブフレームに対しＰＤＳＣＨをスケジューリングしてもよい。これに応じ、指示サブフレームには、ダウンリンク指示（例えば、ダウンリンク・グラント）およびＰＤＣＣＨ（または拡張物理ダウンリンク制御チャネル（ＥＰＤＣＣＨ））のうちの一つ以上を含めることが可能である。ＰＤＳＣＨをスケジューリングするための（例えばＰＤＳＣＨに対し割り当てられるリソースを示すための）ＰＤＣＣＨを含むサブフレームを、スケジューリング・サブフレームと称することができる。例えば、指示サブフレームが、フレキシブル・サブフレーム中にＰＤＳＣＨをスケジューリングするためのＰＤＣＣＨを含む場合、その指示サブフレームもスケジューリング・サブフレームと称することができる。
【００２８】
いくつかの実装によれば、指示サブフレーム中のＰＤＣＣＨ（またはＥＰＤＣＣＨ）を用いて、フレキシブル・サブフレーム中のＰＤＳＣＨをスケジューリングすることができる。一アプローチにおいて、ＰＤＳＣＨが（ダウンリンク制御情報（ＤＣＩ：ｄｏｗｎｌｉｎｋ  ｃｏｎｔｒｏｌ  ｉｎｆｏｒｍａｔｉｏｎ）によって）スケジューリングされているフレキシブル・サブフレームは、事前定義されたアソシエーション・タイミングを使って識別することが可能である。言い換えれば、或るフレキシブル・サブフレーム中のＰＤＳＣＨは、関連付けられたダウンリンク・サブフレームによってスケジューリングすることができる。例えば、フレキシブル・サブフレームに対する同じＰＵＳＣＨのスケジューリング・タイミングは、クロス送信時間間隔（クロスＴＴＩ：ｃｒｏｓｓ−ｔｒａｎｓｍｉｓｓｉｏｎ  ｔｉｍｅ  ｉｎｔｅｒｖａｌ）ＰＤＳＣＨスケジューリングのために再使用することが可能である。
【００２９】
別のアプローチにおいて、例えば、ＤＣＩによってＰＤＳＣＨがスケジューリングされている場合、当該フレキシブル・サブフレームは、先行のサブフレーム中の、該フレキシブル・サブフレームを識別するサブフレーム・オフセット値の指示によって識別することができる。例えば、このサブフレーム・オフセット値によって、指示サブフレームとフレキシブル・サブフレームとの間のサブフレームの数を識別することが可能である。別の例において、このオフセットは、指示サブフレームとの関連付けのセット中のインデックス番号によって示すことができる。例えば、指示サブフレームに関連付けられた２つのフレキシブル・サブフレームがある場合、インデックス番号を使って、当該指示が、サブフレーム・セット中の第一フレキシブル・サブフレームまたは第二フレキシブル・サブフレームのどちらに対するものかを示すことが可能である。］
【００３０】
この実装において、本明細書で開示するシステムおよび方法は、ＰＤＳＣＨスケジューリングに対するダウンリンク制御情報（ＤＣＩ）フォーマットを拡張することができる。例えば、クロス送信時間間隔（クロスＴＴＩ）ＰＤＳＣＨスケジューリングと、同じＴＴＩにおける通常のＰＤＳＣＨスケジューリングとの間で区別を行うために追加のビットを加えることが可能である。これら追加のビットによって、ＰＤＳＣＨ送信に対するＴＴＩオフセット（例えば、指示サブフレームとフレキシブル・サブフレームとの間のサブフレームの数）を示すこともできる。いくつかの実装において、ダウンリンク制御情報によって、ダウンリンクまたはアップリンク・スケジューリング情報を搬送し、非周期的なチャネル品質指標（ＣＱＩ：ｃｈａｎｎｅｌ  ｑｕａｌｉｔｙ  ｉｎｄｉｃａｔｏｒ）レポートを要求し、マルチキャスト制御チャネル（ＭＣＣＨ：ｍｕｌｔｉｃａｓｔ  ｃｏｎｔｒｏｌ  ｃｈａｎｎｅｌ）の変更を通知し、一つのセルおよび一つの無線ネットワーク暫定識別名（ＲＮＴＩ：ｒａｄｉｏ  ｎｅｔｗｏｒｋ  ｔｅｍｐｏｒａｒｙ  ｉｄｅｎｔｉｔｙ）に対する電力制御コマンドをアップリンクすることが可能である。いずれかの実装において、ＵＥが、固定ダウンリンク・サブフレームと、ダウンリンクに対しスケジューリングされたＰＤＳＣＨを有するフレキシブル・サブフレームとだけをモニタリングすることによって、エネルギを節減できるように、多数のフレキシブル・サブフレームを使ってネットワークを構成することができる。
【００３１】
別の実装において、指示サブフレーム中のダウンリンク指示、および当該フレキシブル・サブフレーム中のＰＤＣＣＨ（またはＥＰＤＣＣＨ）を用いて、該フレキシブル・サブフレーム中にＰＤＳＣＨをスケジューリングすることが可能である。例えば、フレキシブル・サブフレームに対するダウンリンク指示（またはダウンリンク・グラント）は、該フレキシブル・サブフレームに先行する指示サブフレーム中で送信することができる。ダウンリンク指示（またはダウンリンク・グラント）を有する指示サブフレームは、詳細なＰＤＳＣＨリソース割り当て情報またはＰＤＣＣＨ（またはＥＰＤＣＣＨ）を含むことはできない。言い換えれば、ダウンリンク指示（またはダウンリンク・グラント）は、ＵＥに、或るフレキシブル・サブフレーム中にダウンリンクが予定されていることの通知ができるだけである。これを受けて、ＵＥは当該フレキシブル・サブフレームをモニタリングでき、ＰＤＣＣＨ（またはＥＰＤＣＣＨ）を検出することが可能で、ＵＥへのＰＤＳＣＨ送信があれば、それに対するモニタリングをすることができる。
【００３２】
いくつかの実装において、ダウンリンク指示（またはダウンリンク・グラント）に対応するフレキシブル・サブフレームは、例えば、ＰＤＳＣＨのリソース割り当て情報を有するＰＤＣＣＨを含む指示フレームに関連して説明したように、事前定義されたアソシエーション・タイミングによって識別することができる。いくつかの実装において、ダウンリンク指示（ダウンリンク・グラント）アソシエーション・タイミングには、ＰＵＳＣＨスケジューリング・タイミングを再使用することが可能である。
【００３３】
指示サブフレームの構成（例えば、指示サブフレーム中のＰＤＣＣＨ（またはＥＰＤＣＣＨ）または指示サブフレーム中のダウンリンク指示（またはダウンリンク・グラント））の如何によって、ＵＥは、フレキシブル・サブフレーム中のＰＤＣＣＨ（またはＥＰＤＣＣＨ）を検出できる場合とできない場合とがある。これについて、未使用の（またはミュートの）フレキシブル・サブフレームに関するＵＥの動作について説明する。未使用の（またはミュートの）フレキシブル・サブフレームとは、ＰＤＳＣＨがスケジューリングされていず、且つ物理アップリンク共有チャネル（ＰＵＳＣＨ）がスケジューリングされていないフレキシブル・サブフレームである。
【００３４】
本明細書に記載の方法およびシステムは、システムレベルの情報の変更、無線リソース制御（ＲＲＣ：ｒａｄｉｏ  ｒｅｓｏｕｒｃｅ  ｃｏｎｔｒｏｌ）層シグナリング、媒体アクセス制御（ＭＡＣ：ｍｅｄｉａ  ａｓｓｅｓｓ  ｃｏｎｔｒｏｌ）層シグナリング、および物理（ＰＨＹ：ｐｈｙｓｉｃａｌ）層シグナリングのうちの一つ以上による動的な再構成を含み得る。これらの選択肢の間で、ＰＨＹ層シグナリングは、動的時分割二重（ＴＤＤ）ＵＬ−ＤＬ再構成に対するより優れたフレキシビリティおよび最短の再構成時間の点において利点を提供することができる。本開示において、フレキシブル・サブフレームをダウンリンク・サブフレームに設定または変換するためのＰＨＹ層シグナリングに対する、システムおよび方法を説明する。ネットワークおよびエネルギの節減を増大するために、ネットワークは、送信または受信のためにスケジューリングされている場合を除きフレキシブル・サブフレームをモニタリングしなくてもよい。上記のため、本明細書で開示するシステムおよび方法では、ｅＩＭＴＡを用いたＵＥの動作を提供し、フレキシブル・サブフレームに対する未使用（またはミュート）状態を説明する。
【００３５】
本明細書で開示するシステムおよび方法は、ｅＩＭＴＡのサポートを用いてサブフレームを処理するＵＥの動作を説明する。また、フレキシブル・サブフレームの未使用状態についても説明する。本明細書で開示するシステムおよび方法は、ＵＥが、固定ダウンリンク・サブフレームをモニタリングすることによってエネルギを節減できるように、多数のフレキシブル・サブフレームを使ってネットワークを構成することができる点で有益であり得る。例えば、現行のＴＤＤシステムでは、ＵＥは、全てのダウンリンク・サブフレームＤＬサブフレームをモニタリングして、ＰＤＣＣＨ（またはＥＰＤＣＣＨ）を取得し、同じＤＬサブフレーム中にＰＤＳＣＨ送信をスケジューリングし、アップリンク・サブフレーム「ｎ＋ｋ」番（「ｋ」は、ＰＵＳＣＨスケジューリングのタイミングによって決めることができる）に対するダウンリンク・サブフレーム「ｎ」中にＰＵＳＣＨをスケジューリングし、物理ハイブリッド自動再送要求指示チャネル（ＰＨＩＣＨ：ｐｈｙｓｉｃａｌ  ｈｙｂｒｉｄ  ａｕｔｏｍａｔｉｃ  ｒｅｐｅａｔ  ｒｅｑｕｅｓｔ  ｉｎｄｉｃａｔｏｒ ｃｈａｎｎｅｌ）、ＰＤＣＣＨ、およびＥＰＤＣＣＨのうちの一つ以上を使って、前回のＰＵＳＣＨ送信に対するハイブリッド自動再送要求肯定応答（ＨＡＲＱ−ＡＣＫ：ｈｙｂｒｉｄ  ａｕｔｏｍａｔｉｃ  ｒｅｐｅａｔ  ｒｅｑｕｅｓｔ  ａｃｋｎｏｗｌｅｄｇｅ）情報を送信することが可能である。
【００３６】
本明細書で開示するシステムおよび方法の様々な例について、図面を参照しながら以降に説明する。図中の同じ参照記号は、機能的に類似の要素を示し得る。本明細書の図中に一般的に記載され示されているシステムおよび方法は、多種多様の異なった実装に配置し、設計することができよう。しかして、図面に表された、以下のいくつかの実装のさらに詳細な説明は、請求された範囲を限定することは意図されておらず、本システムおよび方法の単なる代表例である。
【００３７】
図１は、フレキシブル・サブフレームを動的に設定するためのシステムおよび方法が実装可能な、一つ以上の進化型ノードＢ１５８（ｅＮＢ）および一つ以上のユーザ装置１０２（ＵＥ）の一構成を示すブロック図である。一つ以上のＵＥ１０２は、一つ以上のアンテナ１２２ａ〜ｎを使って一つ以上のｅＮＢ１５８と通信することができる。例えば、ＵＥ１０２は、一つ以上のアンテナ１２２ａ〜ｎを使って、ｅＮＢ１５８に電磁信号を送信し、ｅＮＢ１５８から電磁信号を受信する。ｅＮＢ１５８は、一つ以上のアンテナ１８０ａ〜ｎを使ってＵＥ１０２と通信する。
【００３８】
ＵＥ１０２およびｅＮＢ１５８は、相互に通信するために一つ以上のチャネル１１３、１１５を用いることができる。例えば、ＵＥ１０２は、一つ以上のアップリンク・チャネル１１５を使って、情報またはデータをｅＮＢ１５８に送信することが可能である。アップリンク・チャネル１１５の例には、物理アップリンク制御チャネル（ＰＵＣＣＨ）および物理アップリンク共有チャネル（ＰＵＳＣＨ）などが含まれる。また、一つ以上のｅＮＢ１５８は、例えば、一つ以上のダウンリンク・チャネル１１３を使って、情報またはデータを一つ以上のＵＥ１０２に送信することが可能である。ダウンリンク・チャネル１１３の例には、ＰＤＣＣＨ、ＰＤＳＣＨなどが含まれる。他の種類のチャネルを使うことも可能である。
【００３９】
一つ以上のＵＥ１０２の各々は、一つ以上のトランシーバ１１８、一つ以上の復調器１１４、一つ以上のデコーダ１０８、一つ以上のエンコーダ１４６、一つ以上の変調器１４８、データ・バッファ１０４、およびＵＥオペレーション・モジュール１２４を含んでもよい。例えば、ＵＥ１０２中に一つ以上の受信および／または送信経路を実装することができる。便宜上、このＵＥ１０２には、各一つだけのトランシーバ１１８、デコーダ１０８、復調器１１４、エンコーダ１４６、および変調器１４８が示されているが、複数の並列要素（例えば、トランシーバ群１１８、デコーダ群１０８、復調器群１１４、エンコーダ群１４６、および変調器群１４８）を実装することが可能である。
【００４０】
トランシーバ１１８は、一つ以上のレシーバ１２０および一つ以上のトランスミッタ１５６を含んでもよい。一つ以上のレシーバ１２０は、一つ以上のアンテナ１２２ａ〜ｎを使ってｅＮＢ１５８からの信号を受信することができる。例えば、レシーバ１２０は、信号を受信しダウンコンバートして一つ以上の受信信号１１６を生成することが可能である。一つ以上の受信信号１１６は、復調器１１４に供給することができる。一つ以上のトランスミッタ１５６は、一つ以上のアンテナ１２２ａ〜ｎを使って、ｅＮＢ１５８に信号を送信することができる。例えば、一つ以上のトランスミッタ１５６は、一つ以上の変調信号１５４をアップコンバートして送信することが可能である。
【００４１】
復調器１１４は、一つ以上の受信信号１１６を復調して一つ以上の復調信号１１２を生成することができる。これら一つ以上の復調信号１１２は、デコーダ１０８に供給することが可能である。ＵＥ１０２は、デコーダ１０８を用いて信号を復号することができる。デコーダ１０８は、一つ以上の復号信号１０６、１１０を生成することが可能である。例えば、第一ＵＥ復号信号１０６は、受信されたペイロード・データを含んでもよく、該データはデータ・バッファ１０４に格納することができる。第二ＵＥ復号信号１１０は、オーバーヘッド・データおよび／または制御データを含んでもよい。例えば、第二ＵＥ復号信号１１０は、ＵＥオペレーション・モジュール１２４が一つ以上のオペレーションを実施するため使用可能なデータを提供することができる。
【００４２】
本明細書で用いる用語「モジュール」とは、特定の要素またはコンポーネントが、ハードウェア、ソフトウェア、またはハードウェアとソフトウェアとの組合せに実装できることを意味することもある。但し、本明細書で「モジュール」と称される何らかの要素は、上記の代わりに、ハードウェア中に実装され得ることに留意すべきである。例えば、ＵＥオペレーション・モジュール１２４は、ハードウェア、ソフトウェア、またはその両方の組合せ中に実装することが可能である。
【００４３】
一般に、ＵＥオペレーション・モジュール１２４は、ＵＥ１０２が一つ以上のｅＮＢ１５８と通信することを可能にできる。ＵＥオペレーション・モジュール１２４は、ＵＥフレキシブル・サブフレーム判定モジュール１２６、ＰＤＳＣＨ指示判定モジュール１５２、ＰＤＳＣＨスケジュール判定モジュール１３０、およびサブフレーム・モニタリング・モジュール１２８を含んでもよい。
【００４４】
ＵＥフレキシブル・サブフレーム判定モジュール１２６は、サブフレームがフレキシブル・サブフレームであるかどうかを判定することができる。フレキシブル・サブフレームは、ダウンリンク・サブフレームになることも、またはアップリンク・サブフレームになることも可能なサブフレームである。例えば、いくつかの実装において、フレキシブル・サブフレームは、少なくとも一つの状況（例えば、動的ＵＬ−ＤＬ再構成範囲から選択された第一構成）においてアップリンク・サブフレームとすることができ、少なくとも一つの他の状況（例えば、動的Ｕ−ＤＬ再構成範囲から選択された第一構成）においてダウンリンク・サブフレームとすることもできる。これに比べ、固定サブフレームは一つ以上の状況（例えば、動的ＵＬ−ＤＬ再構成範囲から選択された一つ以上の構成）において、アップリンクまたはダウンリンクの同一方向を維持することができる。例えば、後記の図７で示すように、フレキシブル・サブフレームは、一つのＵＬ−ＤＬ構成においてはダウンリンク・サブフレームとして、別のＵＬ−ＤＬ構成においてはアップリンク・サブフレームとして用いることができる。フレキシブル・サブフレームは、そのフレキシブル・サブフレーム中にＰＵＳＣＨ送信がスケジューリングされている場合、アップリンク・サブフレームとして用いることが可能である。いくつかの実装において、ＰＵＳＣＨスケジューリングは、ＰＤＣＣＨまたはＥＰＤＣＣＨによって（例えば、ＤＣＩフォーマット０／４を使って）シグナリングすることができる。例えば、アップリンク・グラント（例えばＰＵＳＣＨスケジューリング）に対してＤＣＩフォーマット０／４を用いることが可能である。いくつかの実装において、ＰＵＳＣＨスケジューリング・アソシエーション・タイミング・ルールは、３ＧＰＰ  ＴＳ  ３６．２１３中で、単一ＴＤＤセルに対し、および、同一または異なるＴＤＤ  ＵＬ−ＤＬ構成内の二つ以上のＴＤＤセルに対し定義されたルールとすることができる。フレキシブル・サブフレームは、（例えば、先行の固定ダウンリンク・サブフレームによって）そのフレキシブル・サブフレーム中にＰＤＳＣＨがスケジューリングされている場合、ダウンリンク・サブフレームとして用いることができる。したがって、ｅＩＭＴＡサポートを備えたセル中には、一つ以上の固定ダウンリンク・サブフレーム、固定特殊サブフレーム、固定アップリンク・サブフレーム、およびフレキシブル・サブフレームが在り得ることになる。
【００４５】
いくつかの実装において、ＵＥフレキシブル・サブフレーム判定モジュール１２６は、受信した情報に基づいて、或るサブフレームがフレキシブル・サブフレームであることを判定することができる。例えば、ＵＥフレキシブル・サブフレーム判定モジュール１２６は、ｅＮＢ１５８から（例えば、ＰＨＹ層シグナリングに基づいて）或るサブフレームがフレキシブル・サブフレームであるとの指示を受信することが可能である。
【００４６】
随意的に、いくつかの実装において、或るサブフレームがフレキシブル・サブフレームであるかどうかは、複数のＵＬ−ＤＬ基準構成（例えば、第一基準ＵＬ−ＤＬ構成および第二基準ＵＬ−ＤＬ構成）に基づいて判定される。これらＵＬ−ＤＬ基準構成は、デフォルトＵＬ−ＤＬ構成に基づくことが可能である。デフォルトＵＬ−ＤＬ構成は、全てのＵＥに対し、ｅＮＢによって規定されたＵＬ−ＤＬ構成とすることが可能である。所与のデフォルトＵＬ−ＤＬ構成に対し、動的ＵＬ−ＤＬ再構成範囲は、そのデフォルトＵＬ−ＤＬ構成が再構成範囲内にあることを条件として、７つの標準ＴＤＤ  ＵＬ−ＤＬ構成の任意の組合せであってよい。いくつかの実装において、第一基準ＵＬ−ＤＬ構成は、最少数のアップリンク・サブフレームを備えた、動的ＵＬ−ＤＬ再構成範囲中のＵＬ−ＤＬ構成とすることができる。ｅＩＭＴＡサポートを備えるセル中のｅＩＭＴＡをサポートしているＵＥ１０２に対し、ＰＤＳＣＨタイミング基準として第一基準ＵＬ−ＤＬ構成を用いることが可能である。上記に応じ、ＰＤＳＣＨスケジューリングおよびＰＤＳＣＨ ＨＡＲＱ−ＡＣＫビット・レポーティングは、第一基準ＵＬ−ＤＬ構成に基づけばよい。
【００４７】
比べて、第二基準ＵＬ−ＤＬ構成は、最少数のダウンリンク・サブフレーム（例えば、ＵＬ−ＤＬ構成群のセットから選択された最少）を備えた、動的ＵＬ−ＤＬ再構成範囲中のＵＬ−ＤＬ構成とすることができる。第一基準ＵＬ−ＤＬ構成は、第二基準ＵＬ−ＤＬ構成よりも多くのダウンリンク・サブフレームを含む必要がある。いくつかの実装において、第一基準ＵＬ−ＤＬ構成と第二基準ＵＬ−ＤＬ構成とは同じであってもよい。この実装では、ｅＩＭＴＡを使わなくてもよい。ｅＩＭＴＡサポートを備えるセル中のｅＩＭＴＡをサポートしているＵＥ１０２に対し、第二基準ＵＬ−ＤＬ構成をＰＵＳＣＨタイミング基準として用いることが可能である。上記に応じ、ＰＵＳＣＨスケジューリングおよびＰＵＳＣＨ ＨＡＲＱ−ＡＣＫビット・レポーティングは、第二基準ＵＬ−ＤＬ構成に基づけばよい。
【００４８】
前述のように、或るサブフレームがフレキシブル・サブフレームであることの判定は、第一基準ＵＬ−ＤＬ構成および第二基準ＵＬ−ＤＬ構成に基づくことができる。例えば、或るサブフレームが、第一基準ＵＬ−ＤＬ構成中では一つの型（例えば、該サブフレームはダウンリンク・サブフレーム）であり、且つ、第二基準ＵＬ−ＤＬ構成中では別の型（例えば、該サブフレームがアップリンク・サブフレーム）である場合、そのサブフレームは、フレキシブル・サブフレームである。
【００４９】
ＰＤＳＣＨ指示判定モジュール１５２は、フレキシブル・サブフレームに対しダウンリンクが指示されているかどうかを判定することができる。例えば、ＰＤＳＣＨ指示判定モジュール１５２は、当該フレキシブル・サブフレームに先行する指示サブフレームに基づいて、該フレキシブル・サブフレームに対しＰＤＳＣＨが指示されているかどうかを判定することが可能である。いくつかの実装において、ＰＤＳＣＨ指示判定モジュール１５２は、ｅＮＢ１５８から指示サブフレームを受信することができる。指示サブフレームは、ＰＤＣＣＨを含むことができ、該ＰＤＣＣＨは、フレキシブル・サブフレームに対するダウンリンクを指示することが可能である。別の例において、指示サブフレームは、フレキシブル・サブフレームに対するダウンリンクを指示するＥＰＤＣＣＨを含み得る。また、これらの事例において、指示サブフレームは、ダウンリンクのスケジューリングで用いることが可能な（例えば、ＰＤＣＣＨまたはＥＰＤＣＣＨに含まれる）ＰＤＳＣＨリソース割り当て情報を含むことが可能である。
【００５０】
他の実装において、ＰＤＳＣＨ指示判定モジュール１５２は、指示されたサブフレームに対するＰＤＳＣＨリソース割り当て情報を有するＰＤＣＣＨ（またはＥＰＤＣＣＨ）を含まない指示サブフレームに基づいて、ダウンリンクが指示されているかどうかを判定することもできる。例えば、ＰＤＳＣＨ指示判定モジュール１５２は、或るフレキシブル・サブフレームがダウンリンク・サブフレームとして使用可能であることをＵＥ１０２に通知するダウンリンク指示（またはダウンリンク・グラント）を含む指示サブフレームを、ｅＮＢ１５８から受信することが可能である。この例では、指示サブフレームは、指示されたサブフレームに対するＰＤＳＣＨリソース割り当て情報を有するＰＤＣＣＨ（またはＥＰＤＣＣＨ）を含まなくてもよい。但し、いくつかの場合において、指示サブフレーム中には（フレキシブル・サブフレームに対するＰＤＳＣＨのスケジューリングに加え）通常オペレーションなど他の用途のために一つ以上の他のＰＤＣＣＨまたはＥＰＤＣＣＨを含めることが可能なことに留意すべきである。これに応じ、当該フレキシブル・サブフレームがＰＤＣＣＨ（またはＥＰＤＣＣＨ）を含むことが可能である。このとき、ＵＥ１０２は当該フレキシブル・サブフレームをモニタリングし、ＰＤＳＣＨスケジューリング情報（例えば、リソース割り当て情報）に対するＰＤＣＣＨ（またはＥＰＤＣＣＨ）を検出することができる。しかして、指示サブフレーム中にダウンリンク・グラントを発行することが可能である（指示サブフレームには、修正ＰＤＣＣＨまたはＥＰＤＣＣＨを含む多くのアプローチを含めることができる）。
【００５１】
いくつかの実装において、指示サブフレーム中に含まれるダウンリンク指示（またはダウンリンク・グラント）は、セルに特有またはＵＥに特有のものとすることができる。すなわち、ダウンリンク指示は、（複数のＵＥ１０２を伴った）或る送信セル、または或る送信セル内の一つ以上のＵＥ１０２を対象とすることが可能である。ダウンリンク指示が、セル特有である場合、そのセル内の全ＵＥ１０２は、ＰＤＣＣＨおよびＰＤＳＣＨについてフレキシブル・サブフレームをモニタリングすることができる。これに対し、ダウンリンク指示（またはダウンリンク・グラント）がＵＥ特有である場合、対象となるＵＥ（群）１０２だけが、ＰＤＣＣＨおよびＰＤＳＣＨについてフレキシブル・サブフレームをモニタリングする必要があることになる。
【００５２】
いくつかの実装において、ＵＥ１０２は、フレキシブル・サブフレームに対しＰＤＳＣＨがスケジューリングされているかどうかを判定することが可能なＰＤＳＣＨスケジュール判定モジュール１３０を含むことができる。随意的に、ＰＤＳＣＨスケジュール判定モジュール１３０は、指示サブフレームに基づいてフレキシブル・サブフレームに対するＰＤＳＣＨスケジュールを判定することが可能である。例えば、ＰＤＳＣＨスケジュール判定モジュール１３０は、ｅＮＢ１５８から、ＰＤＣＣＨを含むスケジューリング・サブフレームを受信することができる。このＰＤＣＣＨは、フレキシブル・サブフレームに対するＰＤＳＣＨをスケジューリングすることができる（例えば、ＰＤＳＣＨに割り当てられたリソースを示すことが可能である）。別の例において、スケジューリング・サブフレームは、フレキシブル・サブフレームに対するＰＤＳＣＨをスケジューリングするＥＰＤＣＣＨを含んでもよい。また、これらの例において、スケジューリング・サブフレームは、ダウンリンクをスケジューリングするために用いることが可能なＰＤＳＣＨリソース割り当て情報を含むことが可能である。
【００５３】
他の実装において、ＰＤＳＣＨスケジュール判定モジュール１３０は、当該フレキシブル・サブフレーム中に含まれたＰＤＣＣＨ（またはＥＰＤＣＣＨ）に基づいて、ダウンリンク・スケジュールを判定することができる。例えば、前述したように、ＵＥ１０２は、ｅＮＢ１５８から、或るフレキシブル・サブフレームがダウンリンク・サブフレームとして使用可能であることをＵＥ１０２に通知する、ダウンリンク指示（またはダウンリンク・グラント）を含む指示サブフレームを受信することができる。この例では、指示サブフレームは、指示されたサブフレームに対するＰＤＳＣＨリソース割り当て情報を有するＰＤＣＣＨ（またはＥＰＤＣＣＨ）を含んでいなくてもよい。これに応じ、当該フレキシブル・サブフレームにＰＤＣＣＨ（またはＥＰＤＣＣＨ）を含めることが可能である。このとき、ＰＤＳＣＨスケジュール判定モジュール１３０は、フレキシブル・サブフレームをモニタリングし、ＰＤＣＣＨ（またはＥＰＤＣＣＨ）を復号してＰＤＳＣＨスケジュールを判定することができる。
【００５４】
いくつかの実装において、指示サブフレーム中に含まれるダウンリンク指示（またはダウンリンク・グラント）は、セルに特有またはＵＥに特有のものとすることができる。すなわち、ダウンリンク指示は、（複数のＵＥ１０２を伴った）或る送信セル、または或る送信セル内の一つ以上のＵＥ１０２を対象とすることが可能である。ダウンリンク指示が、セル特有である場合、そのセル内の全ＵＥ１０２は、ＰＤＣＣＨおよびＰＤＳＣＨについて当該フレキシブル・サブフレームをモニタリングすることができる。これに対し、ダウンリンク指示（またはダウンリンク・グラント）がＵＥ特有である場合、対象となるＵＥ（群）１０２だけが、ＰＤＣＣＨおよびＰＤＳＣＨについて当該フレキシブル・サブフレームをモニタリングする必要があることになる。
【００５５】
サブフレーム・モニタリング・モジュール１２８は、（例えば、ＰＤＳＣＨがスケジュールおよび／または指示されているとき）フレキシブル・サブフレームをモニタリングすることができる。例えば、サブフレーム・モニタリング・モジュール１２８は、ＰＤＣＣＨ（またはＥＰＤＣＣＨ）およびＰＤＳＣＨのうちの一つ以上について、フレキシブル・サブフレームをモニタリングすることが可能である。一実装において、指示サブフレームには、前述したように、指示されたサブフレームに対するＰＤＳＣＨリソース割り当て情報を有するＰＤＣＣＨ（またはＥＰＤＣＣＨ）を含まない、ダウンリンク指示（またはダウンリンク・グラント）を含めることができる。この実装において、ＵＥ１０２は、（例えば、ダウンリンクが指示されている場合）当該フレキシブル・サブフレームをダウンリンク・サブフレームとして設定することができる。例えば、サブフレーム・モニタリング・モジュール１２８は、ダウンリンクが指示されている場合、フレキシブル・サブフレームに対するダウンリンクについて該フレキシブル・サブフレーム中のＰＤＣＣＨおよび／またはＥＰＤＣＣＨに対するモニタリングをすることができる。この実装において、サブフレーム・モニタリング・モジュール１２８は、ＰＤＳＣＨをスケジューリングするＰＤＣＣＨ（またはＥＰＤＣＣＨ）について当該フレキシブル・サブフレームをモニタリングすることが可能である。サブフレーム・モニタリング・モジュール１２８が、フレキシブル・サブフレーム中のＰＤＣＣＨ（またはＥＰＤＣＣＨ）を検出した場合、サブフレーム・モニタリング・モジュール１２８は、ダウンリンク（例えばＰＤＳＣＨ）について該フレキシブル・サブフレームをモニタリングすることができる。
【００５６】
他の実装において、ＵＥ１０２は、フレキシブル・サブフレームに対するＰＤＳＣＨを指示するＰＤＣＣＨ（またはＥＰＤＣＣＨ）を含む指示サブフレームを受信することができる。この例において、ＰＤＣＣＨ（またはＥＰＤＣＣＨ）がフレキシブル・サブフレームに対するＰＤＳＣＨを指示している場合、サブフレーム・モニタリング・モジュール１２８は、ダウンリンク（例えば、ＰＤＳＣＨ）について該フレキシブル・サブフレームをモニタリングすることが可能である。これに対し、指示サブフレームが（例えば、ＰＤＣＣＨが無く）ＰＤＳＣＨを指示していない場合、サブフレーム・モニタリング・モジュール１２８は、ダウンリンクについてフレキシブル・サブフレームのモニタリングを回避することができる。
【００５７】
ＰＤＳＣＨが指示されているかどうかに基づいてダウンリンクに対するモニタリングを行うのは、エネルギ消費が低減されるので有益であり得る。例えば、ＰＤＳＣＨが指示されていなければ、ＵＥ１０２はフレキシブル・サブフレームをモニタリングする必要はなく、これによりＵＥ１０２はエネルギとネットワーク・リソースとを節約することができる。
【００５８】
ＵＥオペレーション・モジュール１２４は、一つ以上のレシーバ１２０に情報１４４を提供することができる。例えば、ＵＥオペレーション・モジュール１２４は、レシーバ（群）１２０に、（例えば、ＰＤＳＣＨスケジュールに基づいて）送信を何時受信するかを連絡することが可能である。
【００５９】
ＵＥオペレーション・モジュール１２４は、復調器１１４に情報１３４を提供することができる。例えば、ＵＥオペレーション・モジュール１２４は、復調器１１４に、ｅＮＢ１５８からの送信に対し予期される変調パターンを連絡することが可能である。
【００６０】
ＵＥオペレーション・モジュール１２４は、デコーダ１０８に情報１３２を提供することができる。例えば、ＵＥオペレーション・モジュール１２４は、デコーダ１０８に、ｅＮＢ１５８からの送信に対し予期される符号化を連絡することが可能である。
【００６１】
ＵＥオペレーション・モジュール１２４は、エンコーダ１４６に情報１３８を提供することができる。情報１３８は、符号化対象のデータおよび／または符号化のための命令を含んでもよい。例えば、ＵＥオペレーション・モジュール１２４は、エンコーダ１４６に、送信データ１４２および／または他の情報１３８を符号化するよう命令することができる。
【００６２】
エンコーダ１４６は、送信データ１４２および／またはＵＥオペレーション・モジュール１２４によって提供された他の情報１３８を符号化することができる。例えば、データ１４２および／または他の情報１３８の符号化は、エラー検出および／または訂正コーディング、送信のための空間、時間および／または周波数リソースへのデータのマッピング、多重化などを含んでもよい。エンコーダ１４６は、変調器１４８に符号化データ１５０を提供することができる。
【００６３】
ＵＥオペレーション・モジュール１２４は、変調器１４８に情報１４０を提供することができる。例えば、ＵＥオペレーション・モジュール１２４は、変調器１４８に、ｅＮＢ１５８への送信に対して使用される変調の種類（例えば、コンスタレーション・マッピング）を連絡することが可能である。変調器１４８は、符号化データ１５０を変調して、一つ以上のトランスミッタ１５６に、一つ以上の変調信号１５４を提供することができる。
【００６４】
ＵＥオペレーション・モジュール１２４は、一つ以上のトランスミッタ１５６に情報１３６を提供することができる。この情報１３６は、一つ以上のトランスミッタ１５６に対する命令を含んでもよい。例えば、ＵＥオペレーション・モジュール１２４は、一つ以上のトランスミッタ１５６に、ｅＮＢ１５８に何時信号を送信するかを命令することができる。例えば、一つ以上のトランスミッタ１５６は、ＵＬサブフレームの期間に送信することが可能である。一つ以上のトランスミッタ１５６は、変調信号（群）１５４をアップコンバートし、一つ以上のｅＮＢ１５８に送信することができる。
【００６５】
ｅＮＢ１５８は、一つ以上のトランシーバ１７６、一つ以上の復調器１７２、一つ以上のデコーダ１６６、一つ以上のエンコーダ１０３、一つ以上の変調器１０７、データ・バッファ１６２、およびｅＮＢオペレーション・モジュール１８２を含んでもよい。例えば、ｅＮＢ１５８中に一つ以上の受信および／または送信経路を実装することができる。便宜上、このｅＮＢ１５８中には、各一つだけのトランシーバ１７６、デコーダ１６６、復調器１７２、エンコーダ１０３、および変調器１０７が示されているが、複数の並列要素（例えば、トランシーバ群１７６、デコーダ群１６６、復調器群１７２、エンコーダ群１０３、および変調器群１０７）を実装することが可能である。
【００６６】
トランシーバ１７６は、一つ以上のレシーバ１７８および一つ以上のトランスミッタ１１１を含んでもよい。一つ以上のレシーバ１７８は、一つ以上のアンテナ１８０ａ〜ｎを使ってＵＥ１０２からの信号を受信することができる。例えば、レシーバ１７８は、信号を受信しダウンコンバートして、一つ以上の受信信号１７４を生成することが可能である。一つ以上の受信信号１７４は、復調器１７２に供給することが可能である。一つ以上のトランスミッタ１１１は、一つ以上のアンテナ１８０ａ〜ｎを使って、ＵＥ１０２に信号を送信することができる。例えば、一つ以上のトランスミッタ１１１は、一つ以上の変調信号１０９をアップコンバートして送信することが可能である。
【００６７】
復調器１７２は、一つ以上の受信信号１７４を復調して一つ以上の復調信号１７０を生成することができる。一つ以上の復調信号１７０はデコーダ１６６に供給することができる。ｅＮＢ１５８は、デコーダ１６６を用いて信号を復号することが可能である。デコーダ１６６は、一つ以上の復号信号１６４、１６８を生成することができる。例えば、第一ｅＮＢ復号信号１６４は、受信されたペイロード・データを含んでもよく、該データをデータ・バッファ１６２に格納することができる。第二ｅＮＢ復号信号１６８は、オーバーヘッド・データおよび／または制御データを含んでもよい。
【００６８】
一般に、ｅＮＢオペレーション・モジュール１８２は、ｅＮＢ１５８が一つ以上のＵＥ１０２と通信することを可能にできる。ｅＮＢオペレーション・モジュール１８２は、ｅＮＢフレキシブル・サブフレーム判定モジュール１６０、ＰＤＳＣＨ指示モジュール１９４、およびＰＤＳＣＨスケジュール・モジュール１８４を含んでもよい。
【００６９】
ｅＮＢフレキシブル・サブフレーム判定モジュール１６０は、或るサブフレームがフレキシブル・サブフレームであると判定することができる。前述のように、フレキシブル・サブフレームは、ダウンリンク・サブフレームおよびアップリンク・サブフレームとして使われるよう構成されたサブフレームである。
【００７０】
いくつかの実装において、ｅＮＢフレキシブル・サブフレーム判定モジュール１６０は、基準ＵＬ−ＤＬ構成に基づいて、或るサブフレームがフレキシブル・サブフレームであることを判定することができる。例えば、ｅＮＢ１５８は、複数の基準ＵＬ−ＤＬ構成を用いて、ＵＥ１０２を設定することが可能である。ｅＮＢフレキシブル・サブフレーム判定モジュール１６０は、基準ＵＬ−ＤＬ構成の間で相異なる型（例えば、アップリンクおよびダウンリンクまたは特殊）のサブフレームを判定することができる。
【００７１】
後記の図７で説明するように、いくつかの実装において、随意的に、ｅＮＢフレキシブル・サブフレーム判定モジュール１６０は、第一基準ＵＬ−ＤＬ構成と第二基準ＵＬ−ＤＬ構成とに基づいて、サブフレームがフレキシブル・サブフレームであることを判定することができる。或るサブフレームが、第一基準ＵＬ−ＤＬ構成中では一つの型（例えば、該サブフレームはダウンリンク・サブフレーム）であり、且つ、第二基準ＵＬ−ＤＬ構成では別の型（例えば、該サブフレームがアップリンク・サブフレーム）である場合、そのサブフレームはフレキシブル・サブフレームである。
【００７２】
いくつかの実装において、ｅＮＢフレキシブル・サブフレーム判定モジュール１６０は、或るサブフレームがフレキシブル・サブフレームであることを示す情報を送ることができる。例えば、ｅＮＢフレキシブル・サブフレーム判定モジュール１６０は、サブフレームがフレキシブル・サブフレームであることを（例えば、ＰＨＹ層シグナリングに基づいて）ＵＥ１０２にシグナリングすることが可能である。
【００７３】
ＰＤＳＣＨ指示モジュール１９４は、当該フレキシブル・サブフレームに対するダウンリンク（および／またはＰＤＳＣＨ）を指示することができる。例えば、ＰＤＳＣＨ指示モジュール１９４は、フレキシブル・サブフレームに対するダウンリンク（またはＰＤＳＣＨ）を指示する信号をＵＥ１０２に送信することが可能である。例えば、ＰＤＳＣＨ指示モジュール１９４は、当該フレキシブル・サブフレームに先行する指示サブフレームに基づいて、ダウンリンクを指示することができる。この指示サブフレームは、当該フレキシブル・サブフレームの前の直近のダウンリンク・サブフレームとすればよい。例えば、前述のように、指示サブフレームには、ＰＤＣＣＨ（またはＥＰＤＣＣＨ）を含めることが可能である。この例において、指示サブフレーム中のＰＤＣＣＨ（またはＥＰＤＣＣＨ）は、ＵＥ１０２に、当該フレキシブル・サブフレームに対するＰＤＳＣＨを指示することができる。後記で説明するように、いくつかの実装において、ＰＤＣＣＨ（またはＥＰＤＣＣＨ）もまたダウンリンクをスケジューリングすることが可能である。
【００７４】
別の例において、ＰＤＳＣＨ指示モジュール１９４は、ダウンリンク指示（またはダウンリンク・グラント）を含む指示サブフレームを介してＰＤＳＣＨを指示することができる。ダウンリンク指示（またはダウンリンク・グラント）は、フレキシブル・サブフレームに対するＰＤＳＣＨを、ＵＥ１０２にシグナリングまたは指示することができる。この例では、指示サブフレームは、フレキシブル・サブフレーム（例えば指示対象のサブフレーム）中にＰＤＳＣＨをスケジューリングするための、ＰＤＣＣＨ（またはＥＰＤＣＣＨ）を含まなくてもよい。すなわち、指示サブフレームは、詳細なスケジューリング情報を提供せずに、フレキシブル・サブフレームに対するＰＤＳＣＨを指示することができる。
【００７５】
いくつかの実装において、指示サブフレーム中に含まれるダウンリンク指示（またはダウンリンク・グラント）は、セルに特有またはＵＥに特有のものとすることができる。すなわち、ダウンリンク指示は、（複数のＵＥ１０２を伴った）或る送信セル、または或る送信セル内の一つ以上のＵＥ１０２を対象とすることが可能である。ダウンリンク指示が、セル特有である場合、そのセル内の全ＵＥ１０２がＰＤＣＣＨ（またはＥＰＤＣＣＨ）およびＰＤＳＣＨについてフレキシブル・サブフレームをモニタリングすることができる。これに対し、ダウンリンク指示（またはダウンリンク・グラント）がＵＥ特有である場合、対象となるＵＥ（群）１０２だけが、ＰＤＣＣＨ（またはＥＰＤＣＣＨ）およびＰＤＳＣＨについてフレキシブル・サブフレームをモニタリングする必要があることになる。
【００７６】
いくつかの実装において、ｅＮＢ１５８は、ダウンリンクをスケジューリングすることができる。これらの実装において、ＰＤＳＣＨスケジュール・モジュール１８４は、フレキシブル・サブフレームに対するダウンリンクをスケジューリングすることが可能である。いくつかの実装において、ＰＤＳＣＨスケジュール・モジュール１８４は、該フレキシブル・サブフレームに先行するスケジューリング・サブフレームを介してダウンリンクをスケジューリングすることが可能である。例えば、スケジューリング・サブフレームは、当該フレキシブル・サブフレーム中にＰＤＳＣＨをスケジューリングするＰＤＣＣＨ（またはＥＰＤＣＣＨ）を含むことができる。
【００７７】
他の実装において、ＰＤＳＣＨスケジュール・モジュール１８４は、フレキシブル・サブフレーム中のＰＤＣＣＨ（またはＥＰＤＣＣＨ）を用いてダウンリンクをスケジューリングすることもできる。例えば、或る指示サブフレームは、或るフレキシブル・サブフレームがダウンリンク・サブフレームである（例えば、そのフレキシブル・サブフレームはＰＤＳＣＨを含むことができる）ことを示すダウンリンク指示を含んでも、指示されたサブフレームに対するＰＤＳＣＨリソース割り当て情報を有するＰＤＣＣＨ（またはＥＰＤＣＣＨ）は含まない。この例では、ＰＤＳＣＨスケジュール・モジュール１８４は、当該フレキシブル・サブフレーム中に含まれたＰＤＣＣＨ（またはＥＰＤＣＣＨ）を用いてＰＤＳＣＨをスケジューリングすることができる。フレキシブル・サブフレームのスケジューリングに関するさらなる詳細は、図２、３、５、および６の一つ以上に関連して後記で述べる。
【００７８】
ｅＮＢオペレーション・モジュール１８２は、一つ以上のレシーバ１７８に情報１９０を提供することができる。ｅＮＢオペレーション・モジュール１８２は、復調器１７２に情報１８８を提供することができる。例えば、ｅＮＢオペレーション・モジュール１８２は、復調器１７２に、ＵＥ（群）１０２からの送信に対して予期される変調パターンを連絡することが可能である。
【００７９】
ｅＮＢオペレーション・モジュール１８２は、デコーダ１６６に情報１８６を提供することができる。例えば、ｅＮＢオペレーション・モジュール１８２は、デコーダ１６６に、ＵＥ（群）１０２からの送信に対して予期される符号化を連絡することが可能である。
【００８０】
ｅＮＢオペレーション・モジュール１８２は、エンコーダ１０３に情報１９６を提供することができる。情報１９６は、符号化対象のデータおよび／または符号化のための命令を含んでもよい。例えば、ｅＮＢオペレーション・モジュール１８２は、エンコーダ１０３に、送信データ１０１および／または他の情報１９６を符号化するよう命令することができる。
【００８１】
エンコーダ１０３は、送信データ１０１、および／またはｅＮＢオペレーション・モジュール１８２によって提供された他の情報１９６を符号化することができる。例えば、データ１０１および／または他の情報１９６の符号化は、エラー検出および／または訂正コーディング、送信のための空間、時間および／または周波数リソースへのデータのマッピング、多重化などを含んでもよい。エンコーダ１０３は、変調器１０７に符号化データ１０５を提供することができる。送信データ１０１は、ＵＥ１０２に中継されるネットワーク・データを含んでもよい。
【００８２】
ｅＮＢオペレーション・モジュール１８２は、変調器１０７に情報１９８を提供することができる。この情報１９８は、変調器１０７に対する命令を含んでもよい。例えば、ｅＮＢオペレーション・モジュール１８２は、変調器１０７に、ｅＵＥ（群）１０２への送信に対して使用される変調の種類（例えば、コンスタレーション・マッピング）を連絡することが可能である。変調器１０７は、符号化データ１０５を変調して、一つ以上のトランスミッタ１１１に、一つ以上の変調信号１０９を提供することができる。
【００８３】
ｅＮＢオペレーション・モジュール１８２は、一つ以上のトランスミッタ１１１に情報１９２を提供することができる。この情報１９２は、一つ以上のトランスミッタ１１１に対する命令を含んでもよい。例えば、ｅＮＢオペレーション・モジュール１８２は、一つ以上のトランスミッタ１１１に、ＵＥ（群）１０２に信号を何時送信するか（または何時送信しないか）を命令することができる。いくつかの実装において、これはＵＬ−ＤＬ構成に基づくことができる。一つ以上のトランスミッタ１１１は、変調信号（群）１０９をアップコンバートして、一つ以上のＵＥ１０２に送信することができる。
【００８４】
なお、ダウンリンク（ＤＬ）サブフレームは、ｅＮＢ１５８から一つ以上のＵＥ１０２に送信することが可能であり、アップリンク（ＵＬ）サブフレームは、一つ以上のＵＥ１０２からｅＮＢ１５８に送信することが可能である。さらに、ｅＮＢ１５８および一つ以上のＵＥ１０２の双方は、標準型特殊サブフレーム中でデータを送信することができる。
【００８５】
また、ｅＮＢ（群）１５８およびＵＥ（群）１０２中に含まれる要素またはその部品の一つ以上がハードウェア中に実装可能なことにも留意すべきである。例えば、これら要素またはその部品の一つ以上を、チップ、回路、またはハードウェア・コンポーネントなどとして実装することが可能である。さらに、本明細書に記載した機能または方法の一つ以上が、ハードウェアの中に実装、および／またはハードウェアを用いて実施できることにも留意すべきである。例えば、本明細書に記載した方法の一つ以上が、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）、または集積回路などの中に実装、および／またはこれらを使って実現することが可能である。
【００８６】
図２は、ＵＥ１０２によって動的にフレキシブル・サブフレームを設定する方法２００の一つの構成を示すフロー図である。ＵＥ１０２は、或るサブフレームがフレキシブル・サブフレームであることを判定する（ステップ２０２）。前述したように、フレキシブル・サブフレームは、（例えば、ＵＥ１０２が、複数のセル上の複数のＵＬ−ＤＬ構成を用いるよう構成されている場合に）相異なる基準ＵＬ−ＤＬ構成においてダウンリンク・サブフレームおよびアップリンク・サブフレームとして用いるよう構成されたサブフレームである。いくつかの実装において、ＵＥ１０２は、割り当てられた基準ＵＬ−ＤＬ構成群の間で相異なるサブフレームの型を有するサブフレームを、フレキシブル・サブフレームとして判定する（ステップ２０２）。上記に加えてまたは上記に換えて、ＵＥ１０２は、受信した情報に基づいて或るサブフレームがフレキシブル・サブフレームであることを判定する（ステップ２０２）。例えば、ＵＥ１０２は、ｅＮＢ１５８から、サブフレームがフレキシブル・サブフレームであることを示す情報を受信することが可能である。
【００８７】
ＵＥ１０２は、フレキシブル・サブフレームに対しダウンリンクが指示されているかどうかを判定する（ステップ２０４）。例えば、ＵＥ１０２は、フレキシブル・サブフレームに対しＰＵＳＣＨがスケジューリングされていない場合、該フレキシブル・サブフレームに対しダウンリンクが指示されているかどうかを判定する（ステップ２０４）。ＵＥ１０２は、フレキシブル・サブフレームに先行する指示サブフレームに基づいて、該フレキシブル・サブフレームに対してダウンリンクが指示されているかどうかを判定する（ステップ２０４）。一例において、指示サブフレームは、フレキシブル・サブフレームに対するＰＤＳＣＨを指示できるＰＤＣＣＨ（またはＥＰＤＣＣＨ）を含むことが可能である。本明細書で用いられる用語「ダウンリンク」とは、ダウンリンク・サブフレームの型、ダウンリンク送信、およびダウンリンク・チャネル（例えば、ＰＤＣＣＨ、ＥＰＤＣＣＨなど）の一つ以上を言う。
【００８８】
指示サブフレームが、フレキシブル・サブフレームに対するＰＤＳＣＨスケジューリング情報を有するＰＤＣＣＨを含む実装において、当該フレキシブル・フレームはＰＤＣＣＨを含まなくてもよい。これらの実装において、ｅＩＭＴＡ機能を備えたＵＥ１０２は、ＰＤＳＣＨスケジューリング情報が（例えば、ＰＤＣＣＨまたはＥＰＤＣＣＨによって）指示サブフレームに含まれていた場合、それを理由に、当該フレキシブル・サブフレーム中にＰＤＣＣＨ（またはＥＰＤＣＣＨ）がないと推定することができる。別の例において、ｅＩＭＴＡ機能を備えたＵＥ１０２は、ＰＵＳＣＨスケジューリングが第二構成に基づいており、当該フレキシブル・サブフレーム中のＰＤＣＣＨ（またはＥＰＤＣＣＨ）によってアップリンク・グラントが発行できない場合、そのことから、当該フレキシブル・サブフレーム中にＰＤＣＣＨ（またはＥＰＤＣＣＨ）がないと推定することが可能である。
【００８９】
但し、いくつかの実装において、指示サブフレーム中のＰＤＣＣＨ（またはＥＰＤＣＣＨ）に加え、下位互換性のため、フレキシブル・サブフレーム中にもＰＤＣＣＨ（またはＥＰＤＣＣＨ）を置くことができる。例えば、フレキシブル・サブフレーム中のＰＤＣＣＨ（またはＥＰＤＣＣＨ）は、ｅＩＭＴＡ機能のないＵＥ１０２によって、制御情報のため使用することが可能である。ｅＩＭＴＡ機能を備えたＵＥ１０２に対しては、フレキシブル・サブフレーム中のＰＤＣＣＨ（またはＥＰＤＣＣＨ）は、指示サブフレーム中に含まれたＰＤＳＣＨスケジューリングおよびリソース割り当て情報を、確認、修正または無効にするために使用することができる。
【００９０】
或るフレキシブル・サブフレームに対しダウンリンクが指示されているかどうかの判定（ステップ２０４）は、ダウンリンク指示に基づいてダウンリンクが指示されているかどうかを判定すること（ステップ２０４）を含んでもよい。この例において、指示サブフレームは、或るフレキシブル・サブフレームがダウンリンク・サブフレームとして使用可能であることをＵＥ１０２に通知するダウンリンク指示（またはダウンリンク・グラント）を含むことができる。さらに、この実装では、この指示サブフレーム（例えば、ダウンリンク・グラント）は、フレキシブル・サブフレームに対するＰＤＳＣＨリソース割り当て情報を含むＰＤＣＣＨ（またはＥＰＤＣＣＨ）を含まなくてもよい。
【００９１】
ダウンリンク指示（またはダウンリンク・グラント）の使用は、ＵＥ１０２の処理能力の消費を低減できるので有益であり得る。例えば、ダウンリンク指示がリソース割り当て情報を含まなくてもよいので、ペイロードを非常に小さくすることができる。例えば、ダウンリンク指示（またはダウンリンク・グラント）には、フレキシブル・サブフレームをダウンリンクのために使用可能であるという１ビットの指示を含めることができる。
【００９２】
随意的に、ＵＥ１０２は、ダウンリンクがスケジューリングされているかどうかを判定する（ステップ２０６）。ダウンリンクがスケジューリングされているかどうかを判定する（ステップ２０６）のに加えて、ＵＥ１０２は、ダウンリンクが指示されているかどうかダウンリンク・スケジュールを判定する。いくつかの実装において、ＵＥ１０２は、当該フレキシブル・サブフレームに先行する指示サブフレームに対するモニタリングをすることによって、ダウンリンク・スケジュールを判定する（ステップ２０６）。例えば、ＵＥ１０２は、フレキシブル・サブフレームに先行する指示サブフレームを受信して、その指示サブフレーム中のＰＤＣＣＨ（またはＥＰＤＣＣＨ）に基づいてダウンリンク・スケジュールを判定することが可能である。ＰＤＣＣＨ（またはＥＰＤＣＣＨ）は、ＰＤＳＣＨスケジュールを含むかまたは指示することができる。この例では、指示サブフレームに、フレキシブル・サブフレーム中にダウンリンクをスケジューリングするのに使用できるＰＤＳＣＨリソース割り当て情報を含めることが可能である。
【００９３】
前述のように、いくつかの実装において、ＵＥ１０２は、随意的に、当該フレキシブル・サブフレームに基づいてダウンリンク・スケジュールを判定する（ステップ２０６）。例えば、ＵＥ１０２は、当該フレキシブル・サブフレームに先行する指示サブフレームを受信することが可能である。この指示サブフレームには、或るフレキシブル・サブフレームがダウンリンク・サブフレームとして使用可能であることだけをＵＥ１０２に通知する、ダウンリンク指示を含めることができる。この例では、ＵＥ１０２は、当該フレキシブル・サブフレーム中のＰＤＣＣＨ（またはＥＰＤＣＣＨ）に基づいて、ＰＤＳＣＨスケジュールを判定することができる。これに応じ、ＵＥ１０２は、ＰＤＳＣＨをスケジューリングするＰＤＣＣＨ（またはＥＰＤＣＣＨ）について該フレキシブル・サブフレームをモニタリングすることが可能である。いくつかの実装において、ダウンリンク指示は、特定のＰＤＣＣＨ（またはＥＰＤＣＣＨ）ＤＣＩフォーマット、修正ＰＤＣＣＨ（またはＥＰＤＣＣＨ）フォーマット、予約された物理ハイブリッド自動再送要求指示チャネル（ＰＨＩＣＨ）リソース、および専用チャネル・リソースのうちの一つ以上を使って、ＵＥに対し、或るフレキシブル・サブフレームをダウンリンク・サブフレームとして使用可能であることをシグナリングして通知することができる。
【００９４】
ＵＥ１０２は、ダウンリンクが指示されている場合、フレキシブル・サブフレームをダウンリンク・サブフレームとして設定する（ステップ２０８）。例えば、ＵＥ１０２は、当該フレキシブル・サブフレームをダウンリンク・サブフレームとして識別し、それに加えまたはそれに換えて、該フレキシブル・サブフレーム中でダウンリンク送信が行われることを予測または予期することが可能である。いくつかの実装において、フレキシブル・サブフレームをダウンリンク・サブフレームとして設定すること（ステップ２０８）は、該フレキシブル・サブフレームに対するダウンリンクのためのＰＤＣＣＨおよび／またはＥＰＤＣＣＨに対するモニタリングをすることを含んでもよい。いくつかの実装において、ＰＤＣＣＨに対するモニタリングは、当該フレキシブル・サブフレームのダウンリンク（例えば、ＰＤＳＣＨ）を受信し、そのフレキシブル・サブフレーム中のＰＤＳＣＨを復号することを含んでもよい。前述のように、ＵＥ１０２は、ＰＤＳＣＨがスケジューリングされている場合、ダウンリンクのための当該フレキシブル・サブフレームをモニタリングする（ステップ２０８）。これに対し、ダウンリンクが指示されていない場合、ＵＥ１０２は、フレキシブル・サブフレーム中のダウンリンクのためのＰＤＣＣＨおよび／またはＥＰＤＣＣＨについて、該フレキシブル・サブフレームをモニタリングすることを回避することが可能である。上記に加えまたはこれに換えて、ＰＤＳＣＨが指示されている場合、ＵＥ１０２は、当該フレキシブル・サブフレームをモニタリングする（ステップ２０８）。例えば、ＵＥ１０２は、ＰＤＣＣＨおよび／またはＥＰＤＣＣＨのうちの一つ以上について、並びにＰＤＳＣＨが指示されていればＰＤＳＣＨについて、当該フレキシブル・サブフレームをモニタリングする（ステップ２０８）。
【００９５】
いくつかの実装において、ＰＤＣＣＨおよび／またはＥＰＤＣＣＨに対するモニタリングは、当該フレキシブル・サブフレームに先行するスケジューリング・サブフレーム中のＰＤＣＣＨおよび／またはＥＰＤＣＣＨに対するモニタリングを含み得る。このスケジューリング・サブフレームは、当該フレキシブル・サブフレームの前の直近のダウンリンク・サブフレームとすればよい。
【００９６】
フレキシブル・サブフレームをダウンリンク・サブフレームとして設定すること（ステップ２０８）は、エネルギ・コストの低減につながる可能性があり、（ＰＤＳＣＨがスケジューリングされていない場合でも）ダウンリンクに対する全てのフレキシブル・サブフレームを連続的にモニタリングする必要性を軽減し、チャネル使用のより大きなフレキシビリティを提供し、フレキシブル・サブフレームのダウンリンクのモニタリングを低減させるので、有益であり得る。例えば、現行および従前のＬＴＥリリースでは、ＰＤＳＣＨは、一つのサブフレーム（例えば、同じ送信時間間隔（ＴＴＩ：ｔｒａｎｓｍｉｓｓｉｏｎ  ｔｉｍｅ  ｉｎｔｅｒｖａｌ））中にスケジューリングされることがある。これらのアプローチでは、ＵＥは、フレキシブル・サブフレーム中にＰＵＳＣＨがスケジューリングされていない場合でも、フレキシブル・サブフレーム中のＰＤＣＣＨ（またはＥＰＤＣＣＨ）をモニタリングし、受信し、復号を試みることになり得る。しかして、ＵＥは、受信対象のデータがない場合にあっても、ＰＤＳＣＨおよびダウンリンクに対するモニタリングを行うことになり得る。このことが、そのＵＥに対し不必要なデータ処理およびエネルギ・コストをもたらすこともある。
【００９７】
図３は、ｅＮＢ１５８によって動的にフレキシブル・サブフレームを設定する方法３００の一つの構成を示すフロー図である。ｅＮＢ１５８は、或るサブフレームがフレキシブル・サブフレームであることを判定する（ステップ３０２）。前述したように、フレキシブル・サブフレームは、（例えば、ＵＥ１０２が複数のセル上の複数のＵＬ−ＤＬ構成を用いるよう構成されている場合に）相異なる基準ＵＬ−ＤＬ構成においてダウンリンク・サブフレームおよびアップリンク・サブフレームとして用いるよう構成可能なサブフレームである。随意的に、ｅＮＢ１５８は、割り当てられた基準ＵＬ−ＤＬ構成群の間で相異なるサブフレーム型を有するサブフレームを、フレキシブル・サブフレームとして判定する（ステップ３０２）。いくつかの実装において、ｅＮＢ１５８は、或るサブフレームがフレキシブル・サブフレームであるかどうかに関する情報を送ることができる。一例において、ｅＮＢ１５８は、基準ＵＬ−ＤＬ構成の組合せを用いてＵＥ１０２を設定することによって（例えば、基準ＵＬ−ＤＬ構成の組合せをシグナリングすることによって）、ＵＥ１０２に対し、黙示的に一つ以上のフレキシブル・サブフレームを示す。別の例において、ｅＮＢ１５８は、ＵＥ１０２に、例えばＰＨＹ層シグナリングに基づいて、或るサブフレームがフレキシブル・サブフレームであることをシグナリングすることができる。
【００９８】
ｅＮＢ１５８は、フレキシブル・サブフレームに先行するサブフレーム（例えば、指示サブフレーム）を介して該フレキシブル・サブフレームに対するダウンリンクを指示する（ステップ３０４）。例えば、ｅＮＢ１５８は、該フレキシブル・サブフレームをダウンリンク・サブフレームとして指示する（ステップ３０４）。上記に加えてまたは上記に換えて、ｅＮＢ１５８は、フレキシブル・サブフレームに対するＰＤＳＣＨを指示する（ステップ３０４）。いくつかの実装において、ｅＮＢ１５８は、当該フレキシブル・サブフレームに先行する指示サブフレーム中に含まれたＰＤＣＣＨ（またはＥＰＤＣＣＨ）を介して該フレキシブル・フレームに対するＰＤＳＣＨを指示する（ステップ３０４）。この指示サブフレームは、当該フレキシブル・サブフレームの前の直近のダウンリンク・サブフレームとすればよい。ＰＤＣＣＨ（またはＥＰＤＣＣＨ）は、ＵＥ１０２に、該フレキシブル・サブフレーム中にダウンリンクがスケジューリングされているまたはその予定であることを指示する（ステップ３０４）。いくつかの実装において、ｅＮＢ１５８は、指示されたサブフレームに対するＰＤＳＣＨリソース割り当て情報を有するＰＤＣＣＨ（またはＥＰＤＣＣＨ）を含まない指示サブフレームを介して、フレキシブル・サブフレームに対するダウンリンクを指示する（ステップ３０４）。例えば、指示サブフレームにダウンリンク指示（またはダウンリンク・グラント）を含めることができる。このダウンリンク指示は、或るフレキシブル・サブフレームがダウンリンク・サブフレームとして使用可能であることを、ＵＥ１０２に通知することができる。フレキシブル・サブフレームに対しダウンリンク指示が発行される場合、ＵＥ１０２は、所与のフレキシブル・サブフレームを通常のダウンリンク・サブフレームとしてモニタリングし、受信し、復号することが可能である。上記に応じ、当該フレキシブル・サブフレームのＰＤＣＣＨ（またはＥＰＤＣＣＨ）中で、ＰＤＳＣＨスケジューリングおよびリソース割り当てを提供することができる。
【００９９】
いくつかの実装においてｅＮＢ１５８は、フレキシブル・サブフレームに対するダウンリンクをスケジューリングする（ステップ３０６）。例えば、ｅＮＢ１５８は、ＰＤＣＣＨおよび／またはＥＰＤＣＣＨを含むスケジューリング・サブフレームをＵＥ１０２に送信することが可能である。このＰＤＣＣＨ（またはＥＰＤＣＣＨ）は、ＰＤＳＣＨリソース割り当て情報を含むことができる。いくつかの実装において、ｅＮＢ１５８は、スケジューリング・サブフレーム中でＰＤＣＣＨ（またはＥＰＤＣＣＨ）を送信することができる。ＰＤＣＣＨ（またはＥＰＤＣＣＨ）がスケジューリング・サブフレーム中で送信される場合、該ＰＤＣＣＨ（またはＥＰＤＣＣＨ）は、フレキシブル・サブフレームに対するＰＤＳＣＨを指示する（ステップ３０４）のに加え、ＰＤＳＣＨをスケジューリングする（ステップ３０６）。すなわち、いくつかの実装において、フレキシブル・フレームに対するＰＤＳＣＨを指示すること（ステップ３０４）およびそのＰＤＳＣＨをスケジューリングすること（ステップ３０６）は、スケジューリング・サブフレーム中のＰＤＣＣＨ（またはＥＰＤＣＣＨ）によって実施される。
【０１００】
他の実装において、指示サブフレームは、指示されたサブフレームに対するＰＤＳＣＨリソース割り当て情報を有するＰＤＣＣＨを含まないダウンリンク指示を含む。これらの実装において、ｅＮＢ１５８は、フレキシブル・サブフレーム中でＰＤＣＣＨ（またはＥＰＤＣＣＨ）を送信することによってＰＤＳＣＨをスケジューリングする（ステップ３０６）。換言すれば、フレキシブル・サブフレームに対するＰＤＳＣＨの指示（ステップ３０４）は、指示サブフレーム中でダウンリンク指示を送信することを含んでもよく、ＰＤＳＣＨのスケジューリング（ステップ３０６）は、フレキシブル・サブフレーム中のＰＤＣＣＨ（またはＥＰＤＣＣＨ）によって実施することが可能である。
【０１０１】
一部の例において、ＰＤＳＣＨの指示（ステップ３０４）およびＰＤＳＣＨのスケジューリング（ステップ３０６）のうちの一つ以上は、ＰＵＳＣＨスケジューリング・タイミングに基づくことができる。例として、ＰＤＳＣＨスケジューリングをシグナリングするために、（例えば、第二基準ＵＬ−ＤＬ構成の）ＰＵＳＣＨスケジューリング・タイミングを利用または再使用することが可能である。いくつかの実装において、ｅＮＢ１５８は、複数のサブフレームに対するＰＤＳＣＨ送信をスケジューリングする（ステップ３０６）。この例において、指示サブフレーム中の一つのＰＤＣＣＨ（またはＥＰＤＣＣＨ）を使って、複数のＰＤＳＣＨ送信をスケジューリングすることが可能である。フレキシブル・サブフレーム中にＰＤＳＣＨをスケジューリングすること（ステップ３０６）は、エネルギ・コストの低減につながる可能性があり、送信対象のデータがない場合においてもフレキシブル・サブフレーム中でＰＤＣＣＨ（またはＥＰＤＣＣＨ）を送信する必要性（これはｅＮＢ１５８に対し不必要なデータ処理およびエネルギ・コストを生じさせている）を軽減するので有益であり得る。
【０１０２】
図４は、本明細書で開示するシステムおよび方法に従って用いることの可能な無線フレーム４２９の一例を示す図である。この無線フレーム４２９構造体はＴＤＤ構造体を表す。各無線フレーム４２９は、
Ｔｆ＝３０７２００・Ｔｓ＝１０
ミリ秒（ｍｓ）の長さを有し、
Ｔｆ
は、無線フレーム４２９の持続時間であり、
Ｔｓ
は、
１／（１５０００×２０４８）
秒に等しい時間単位である。無線フレーム４２９は、各
１５３６００・Ｔｓ＝５
ｍｓの長さを有する２つの半フレーム４２７を含む。各半フレーム４２７は、各々が
３０７２０・Ｔｓ＝１
ｍｓの長さを有する５つのサブフレーム４１７ａ〜ｅ、４１７ｆ〜ｊを含む。いくつかの実装において、前述したように、サブフレーム４１７の一つ以上をフレキシブル・サブフレームまたは指示サブフレームとすることができる。前述のように、いくつかの実装において、指示サブフレームは、フレキシブル・サブフレームに先立って配置される（例えば、フレキシブル・サブフレームの前に通信される）サブフレーム４１７とすることができる。
【０１０３】
ＴＤＤ  ＵＬ−ＤＬ構成０〜６が、下記の（３ＧＰＰ  ＴＳ３６．２１１中の表４．２−２からの）表（１）に記載されている。５ミリ秒（ｍｓ）および１０ｍｓ両方のダウンリンクからアップリンクへの切替え点周期性を有するＵＬ−ＤＬ構成がサポート可能となっている。下記の表（１）に示されるように、具体的には、３ＧＰＰ仕様書には７つのＵＬ−ＤＬ構成が規定されている。表（１）において、「Ｄ」はダウンリンク・サブフレームを表し、「Ｓ」は特殊サブフレームを表し、「Ｕ」はＵＬサブフレームを表す。
【表１】
2016503246.tif 000003
【０１０４】
上記の表（１）において、無線フレーム中の各サブフレームに対し、「Ｄ」は、当該サブフレームがダウンリンク送信のために予約されていることを示し、「Ｕ」は、当該サブフレームがアップリンク送信のために予約されていることを示し、「Ｓ」は、ダウンリンク・パイロット・タイム・スロット（ＤｗＰＴＳ：ｄｏｗｎｌｉｎｋ  ｐｉｌｏｔ  ｔｉｍｅ  ｓｌｏｔ）、ガード期間（ＧＰ：ｇｕａｒｄ  ｐｅｒｉｏｄ）およびアップリンク・パイロット・タイム・スロット（ＵｐＰＴＳ：ｕｐｌｉｎｋ  ｐｉｌｏｔ  ｔｉｍｅ  ｓｌｏｔ）の３つのフィールドを有する特殊サブフレームを示す。ＤｗＰＴＳ、ＧＰおよびＵｐＰＴＳの合計長さが
３０７２０・Ｔｓ＝１
ｍｓに等しいことを条件とした、ＤｗＰＴＳおよびＵｐＰＴＳの長さが、（３ＧＰＰ  ＴＳ３６．２１１中の表４．２−１からの）表（２）に記載されている。表２では、便宜上、「サイクリック・プレフィクス（ｃｙｃｌｉｃ  ｐｒｅｆｉｘ）」は「ＣＰ」に短縮され「構成（ｃｏｎｆｉｇｕｒａｔｉｏｎ）」は「Ｃｏｎｆｉｇ」に短縮されている。
【表２】
2016503246.tif 000004
【０１０５】
前述のように、５ｍｓおよび１０ｍｓ両方のダウンリンクからアップリンクへの切替え点周期性を有するＵＬ−ＤＬ構成がサポート可能となっている。５ｍｓのダウンリンクからアップリンクへの切替え点周期性の場合、両方の半フレーム中に特殊サブフレームが存在する。１０ｍｓのダウンリンクからアップリンクへの切替え点周期性の場合、第一半フレーム中だけに特殊サブフレームが存在する。サブフレーム０および５とＤｗＰＴＳとは、ダウンリンク送信のために予約することが可能である。ＵｐＰＴＳと特殊サブフレームの直後のサブフレームとは、アップリンク送信のために予約することが可能である。
【０１０６】
本明細書で開示するシステムおよび方法によれば、使用可能なサブフレーム４１７のいくつかの型は、ダウンリンク・サブフレーム、アップリンク・サブフレーム、および特殊サブフレーム４２５を含む。５ｍｓの周期性を有する、図４に示された例において、無線フレーム４２９には２つの標準型特殊サブフレーム４２５ａ〜ｂが含まれている。
【０１０７】
第一特殊サブフレーム４２５ａは、ダウンリンク・パイロット・タイム・スロット（ＤｗＰＴＳ）４１９ａ、ガード期間（ＧＰ）４２１ａ、およびアップリンク・パイロット・タイム・スロット（ＵｐＰＴＳ）４２３ａを含む。この例において、第一標準型特殊サブフレーム４２５ａは、サブフレーム一４１７ｂに含まれている。第二標準型特殊サブフレーム４２５ｂは、ダウンリンク・パイロット・タイム・スロット（ＤｗＰＴＳ）４１９ｂ、ガード期間（ＧＰ）４２１ｂ、およびアップリンク・パイロット・タイム・スロット（ＵｐＰＴＳ）４２３ｂを含む。この例において、第二標準型特殊サブフレーム４２５ｂは、サブフレーム六４１７ｇに含まれている。ＤｗＰＴＳ４１９、ＧＰ４２１、およびＵｐＰＴＳ４２３の各セットの合計長さが
３０７２０・Ｔｓ＝１
ｍｓに等しいことを条件とした、ＤｗＰＴＳ４１９ａ〜ｂおよびＵｐＰＴＳ４２３ａ〜ｂの長さが、３ＧＰＰ  ＴＳ３６．２１１の表４．２−１（上記の表（２）に示されている）により与えられている。
【０１０８】
各サブフレーム「ｉ」４１７ａ〜ｊ（この例では、「ｉ」は、サブフレーム・ゼロ４１７ａ（例えば０）からサブフレーム九４１７ｊ（例えば９）に亘るサブフレームの一つを表す）は、各サブフレーム４１７中に、
Ｔｓｌｏｔ＝１５３６０・Ｔｓ＝０．５
ｍｓの長さの２つのスロット
２ｉ
および
２ｉ＋１
に区画されている。例えば、サブフレーム・ゼロ（例えば０）６２１ａは、第一スロットを含む２つのスロットを含む。
【０１０９】
図４は、５ｍｓの切替え点周期性を有する無線フレーム４２９の一例を示す。５ｍｓのダウンリンクからアップリンクへの切替え点周期性の場合、各半フレーム４２７は、標準型特殊サブフレーム４２５ａ〜ｂを含む。１０ｍｓのダウンリンクからアップリンクへの切替え点周期性の場合、特殊サブフレームは、第一半フレーム６３１だけに存在する。
【０１１０】
サブフレーム・ゼロ（例えば０）４１７ａおよびサブフレーム五（例えば５）４１７ｆとＤｗＰＴＳ４１９ａ〜ｂとは、ダウンリンク送信のために予約することができる。ＵｐＰＴＳ４２３ａ〜ｂと、特殊サブフレーム（群）４２５ａ〜ｂの直後のサブフレーム（群）（例えば、サブフレーム二４１７ｃおよびサブフレーム七４１７ｈ）とは、アップリンク送信のために予約することができる。
【０１１１】
図５は、ＵＥ１０２によってフレキシブル・サブフレームを動的に設定する方法５００のさらに具体的な構成を示すフロー図である。前述のように、ＵＥは、或るサブフレームがフレキシブル・サブフレームであることを判定することができる。いくつかの実装において、ＵＥ１０２は、随意的に、或るサブフレームの型が第一基準ＵＬ−ＤＬ構成と第二基準ＵＬ−ＤＬ構成とで異なっているかどうかを判定する（ステップ５０２）。前述したように、或るサブフレームが、第一基準ＵＬ−ＤＬ構成と第二基準ＵＬ−ＤＬ構成との下で異なる型を有する場合、そのフレームはフレキシブル・サブフレームである。いくつかの実装において、ＵＥ１０２は、或るサブフレームの型が基準ＵＬ−ＤＬ構成間で異なるかどうかを判定する（ステップ５０２）ために、ルックアップ・テーブルまたはロジックを利用することができる。例えば、基準ＵＬ−ＤＬ構成の特定の組合せにより、その基準ＵＬ−ＤＬ構成の特定の組合せにおいて或るサブフレームが（例えば、アップリンクとダウンリンクとの）相異なる型を有するかどうかに基づいて、特定のサブフレームがフレキシブル・サブフレームであるかどうかを示すことが可能である。
【０１１２】
ＵＥ１０２は、当該フレキシブル・サブフレームに対してダウンリンクが指示されているかどうかを判定する（ステップ５０４）。いくつかの実装において、この判定は、図２に関連して説明したように実施すればよい。
【０１１３】
いくつかの実装によれば、指示サブフレームは、該指示サブフレームとフレキシブル・サブフレームとの間の距離を示すことによってダウンリンクを指示することができる。一アプローチによれば、指示サブフレームは、事前定義されたクロスＴＴＩ  ＰＤＳＣＨアソシエーション・タイミングに基づく、当該フレキシブル・サブフレームのいくつか前のサブフレームであってもよい。例えば、このアソシエーション・タイミングは、ダウンリンク基準ＴＤＤ  ＵＬ−ＤＬ構成（例えば、第一基準ＵＬ−ＤＬ構成）と、アップリンク基準ＴＤＤ  ＵＬ−ＤＬ構成（例えば、第二基準ＵＬ−ＤＬ構成）との組合せに基づくことができる。（例えば、アップリンク基準または第二基準ＵＬ−ＤＬ構成の）ＰＵＳＣＨスケジューリング・タイミングを、ＰＤＳＣＨスケジューリングをシグナリングするために再使用することが可能である。すなわち、第二基準ＵＬ−ＤＬ構成のＰＵＳＣＨスケジューリング・タイミングを、ＰＤＳＣＨスケジューリングを行うために再使用することができる。
【０１１４】
いくつかの実装では、同じＴＴＩにおける、ＰＵＳＣＨスケジューリング・タイミングの後でのフレキシブル・サブフレームに対するＰＤＳＣＨスケジューリングと、定常のＰＤＳＣＨスケジューリングとの間の区別をするために、ＰＤＳＣＨスケジューリングＤＣＩフォーマットに指示を加えることができる。例えば、１ビットのインジケータで、ＰＵＳＣＨスケジューリングの後に続くＰＤＳＣＨスケジューリングを示すことが可能である。別の例において、アソシエーション・タイミングは、デフォルトＵＬ−ＤＬ構成に基づくことができる。例えば、デフォルトＴＤＤ  ＵＬ−ＤＬ構成のＰＵＳＣＨスケジューリング・タイミングは、ＰＤＳＣＨスケジューリングをシグナリングするために再使用することが可能である。いくつかの実装において、デフォルトＵＬ−ＤＬ構成は、ｅＮＢによって全ＵＥに対し規定されたＵＬ−ＤＬ構成とすることができる。
【０１１５】
別のアプローチによれば、指示サブフレーム（例えば、クロスＴＴＩ  ＰＤＳＣＨスケジューリング・サブフレーム）は、当該フレキシブル・サブフレームの前の直近の固定ダウンリンク・サブフレームとすることができる。固定ダウンリンク・サブフレームの後方に複数のフレキシブル・サブフレームがある場合、指示サブフレームのＤＣＩに一つ以上のビット（例えば２ビット）を加えて、フレキシブル・サブフレームのインデックス値を示すことも可能である。
【０１１６】
さらなる別のアプローチにおいて、指示サブフレーム（例えば、クロスＴＴＩ  ＰＤＳＣＨスケジューリング・サブフレーム）は、或る特定のサブフレーム・オフセット値「ｋ」によって、当該フレキシブル・サブフレームからずらすことが可能である。サブフレーム・オフセット値「ｋ」によって、指示サブフレームとフレキシブル・サブフレームとの間のサブフレームの数を示すことができる。いくつかの実装において、先行のサブフレームのＤＣＩに、一つ以上のビット（例えば２ビット）を加え、サブフレームのオフセット値「ｋ」を示すことができる。
【０１１７】
いくつかの実装において、指示サブフレームが当該フレキシブル・サブフレームに対するＰＤＳＣＨリソース割り当て情報を有するＰＤＣＣＨ（またはＥＰＤＣＣＨ）を含む場合、ＵＥ１０２は、該フレキシブル・サブフレームに先行するサブフレーム（例えば指示サブフレーム）中のＰＤＣＣＨ（またはＥＰＤＣＣＨ）に基づいて、ダウンリンク（例えばＰＤＳＣＨ）スケジュールを判定する（ステップ５０６）。前述のように、いくつかの実装において、指示サブフレームは、当該フレキシブル・サブフレームに対するＰＤＳＣＨを指示するＰＤＣＣＨ（またはＥＰＤＣＣＨ）を含むことができる。この実装において、ダウンリンク・スケジュールを判定すること（ステップ５０６）は、指示サブフレームを受信して、該指示サブフレーム中に含まれるＰＤＣＣＨ（またはＥＰＤＣＣＨ）を介してダウンリンク・スケジュールを判定することを含んでもよい。
【０１１８】
先行のサブフレームが、当該フレキシブル・サブフレームに対するＰＤＳＣＨリソース割り当て情報を有するＰＤＣＣＨ（またはＥＰＤＣＣＨ）を含まない場合、上記に換えて、ＵＥ１０２は、当該フレキシブル・サブフレーム中のＰＤＣＣＨ（またはＥＰＤＣＣＨ）に基づいて該フレキシブル・サブフレームに対するダウンリンク・スケジュールを判定する（ステップ５０８）。例えば、ＵＥ１０２は、或るフレキシブル・サブフレームがダウンリンク・サブフレームとして使用可能であることをＵＥ１０２に通知するダウンリンク指示を含む指示サブフレームを受信することが可能である。この例では、指示サブフレームは、フレキシブル・サブフレームに対するＰＤＳＣＨリソース割り当て情報を有するＰＤＣＣＨ（またはＥＰＤＣＣＨ）を含まなくてもよい。したがって、ダウンリンク・スケジュールの判定には、当該フレキシブル・サブフレームにおけるＰＤＳＣＨを指示するダウンリンク・インジケータを含む指示サブフレームを受信することと、当該フレキシブル・サブフレームに対するＰＤＳＣＨをスケジューリングしているＰＤＣＣＨ（またはＥＰＤＣＣＨ）について、該フレキシブル・サブフレームをモニタリングすることとが含まれる。
【０１１９】
ダウンリンクが指示されている場合、ＵＥ１０２は、当該フレキシブル・サブフレームをダウンリンク・サブフレームとして設定する（ステップ５１０）。いくつかの実装において、この設定は、図２に関連して説明したように実施すればよい。
【０１２０】
ダウンリンクが指示されていない場合、ＵＥ１０２は、ダウンリンク（例えばＰＤＳＣＨ）についてフレキシブル・サブフレームをモニタリングするのを回避する（ステップ５１２）。フレキシブル・サブフレームをモニタリングするのを回避すること（ステップ５１２）は、ＵＥ１０２が、フレキシブル・サブフレームを連続的にモニタリングする代わりに、ＰＤＳＣＨが指示された場合にだけダウンリンクについてフレキシブル・サブフレームをモニタリングすることによって電力を節約することができる点において有益であり得る。いくつかの実装において、当該フレキシブル・サブフレームに対するＰＤＳＣＨリソース割り当て情報を有するＰＤＣＣＨ（またはＥＰＤＣＣＨ）を含まない指示サブフレーム中に、ＰＤＳＣＨが指示されている場合、ＵＥ１０２は、ＰＤＣＣＨおよび／またはＥＰＤＣＣＨについて当該フレキシブル・サブフレームをモニタリングすることができ、ＰＤＳＣＨがＵＥ１０２に向けられて（例えばＵＥ１０２を対象として）いる場合も、該ＰＤＳＣＨについてフレキシブル・サブフレームをモニタリングすることができる。
【０１２１】
図６は、ｅＮＢ１５８によってフレキシブル・サブフレームを動的に設定する方法６００のさらに具体的な構成を示すフロー図である。図３に関連して説明したように、ｅＮＢ１５８は、或るサブフレームがフレキシブル・サブフレームであることを判定することができる。いくつかの実装において、ｅＮＢ１５８は、随意的に、第一基準ＵＬ−ＤＬ構成と第二基準ＵＬ−ＤＬ構成とにおいてサブフレームの型が異なっているかどうかを判定する（ステップ６０２）。前述したように、或るサブフレームが、第一基準ＵＬ−ＤＬ構成の下と第二基準ＵＬ−ＤＬ構成の下とで異なる設定を有する場合、そのフレームはフレキシブル・サブフレームである。
【０１２２】
ｅＮＢ１５８は、当該フレキシブル・サブフレームに先行するサブフレームを介して該フレキシブル・サブフレームに対するダウンリンクを指示する（ステップ６０４）。いくつかの実装において、これは、図３に関連して説明したように実施すればよい。
【０１２３】
いくつかの実装において、指示サブフレームは、該指示サブフレームと当該フレキシブル・サブフレームとの間の距離を示すことによってダウンリンクを指示することができる。一アプローチによれば、指示サブフレームは、事前定義されたクロスＴＴＩ  ＰＤＳＣＨアソシエーション・タイミングに基づく、当該フレキシブル・サブフレームのいくつか前のサブフレームであってもよい。例えば、このアソシエーション・タイミングは、ダウンリンク基準ＴＤＤ  ＵＬ−ＤＬ構成（例えば、第一基準ＵＬ−ＤＬ構成）と、アップリンク基準ＴＤＤ  ＵＬ−ＤＬ構成（例えば、第二基準ＵＬ−ＤＬ構成）との組合せに基づくことが可能である。（例えば、アップリンク基準または第二基準ＵＬ−ＤＬ構成の）ＰＵＳＣＨスケジューリング・タイミングを、ＰＤＳＣＨスケジューリングをシグナリングするために再使用することが可能である。
【０１２４】
いくつかの実装では、同じＴＴＩにおける、ＰＵＳＣＨスケジューリング・タイミングの後でのフレキシブル・サブフレームに対するＰＤＳＣＨスケジューリングと、定常のＰＤＳＣＨスケジューリングとの間の区別をするために、ＰＤＳＣＨスケジューリングＤＣＩフォーマットに指示を加えることができる。例えば、１ビットのインジケータで、ＰＵＳＣＨスケジューリングの後に続くＰＤＳＣＨスケジューリングを示すことが可能である。別の例において、アソシエーション・タイミングは、デフォルトＵＬ−ＤＬ構成に基づくことができる。例えば、ＰＤＳＣＨスケジューリングをシグナリングするために、デフォルトＴＤＤ  ＵＬ−ＤＬ構成のＰＵＳＣＨスケジューリング・タイミングを再使用することが可能である。
【０１２５】
別のアプローチによれば、指示サブフレーム（例えば、クロスＴＴＩ  ＰＤＳＣＨスケジューリング・サブフレーム）は、当該フレキシブル・サブフレームの前の直近のダウンリンク・サブフレームとすることができる。固定ダウンリンク・サブフレームの後方に複数のフレキシブル・サブフレームがある場合、指示サブフレームＤＣＩに一つ以上のビット（例えば２ビット）を加えて、当該フレキシブル・サブフレームのインデックス値を示すことができる。
【０１２６】
さらなる別のアプローチにおいて、指示サブフレーム（例えば、クロスＴＴＩ  ＰＤＳＣＨスケジューリング・サブフレーム）は、或る特定のサブフレーム・オフセット値「ｋ」によって当該フレキシブル・サブフレームからずらすことができる。サブフレーム・オフセット値「ｋ」によって、指示サブフレームとフレキシブル・サブフレームとの間にあるサブフレームの数を示すことが可能である。いくつかの実装において、指示サブフレームのＤＣＩに、一つ以上のビット（例えば２ビット）を加え、サブフレームのオフセット値「ｋ」を示すことができる。
【０１２７】
いくつかの実装において、ＰＤＳＣＨを指示すること（ステップ６０４）は、指示サブフレームと当該フレキシブル・サブフレームとの間のサブフレームの数を示すサブフレーム・オフセット値を送信することを含んでもよい。前述のように、いくつかの実装において、当該フレキシブル・サブフレーム中にＰＤＳＣＨを指示することは、指示サブフレームと該フレキシブル・サブフレームとの間の距離を示すことを含んでもよい。例えば、ｅＮＢ１５８は、指示サブフレームと当該フレキシブル・サブフレーム「ｎ」との間のサブフレームの数を示す、サブフレーム・オフセット値「ｋ」を送信することができる。この例によれば、指示サブフレームは、「ｎ−ｋ」位置にあることになろう。
【０１２８】
随意的に、ｅＮＢ１５８は、フレキシブル・サブフレームに対しダウンリンクをスケジューリングする（ステップ６０６）。いくつかの実装において、このスケジューリングは、図３に関連して説明したように実施すればよい。
【０１２９】
図７は、本明細書で開示するシステムおよび方法に従って用いることの可能なアップリンクおよびダウンリンク（ＵＬ−ＤＬ）構成の一例を示す図である。図７には、便宜上いくつかの数字が文字で示されている。例えば、ＵＬ−ＤＬ構成２は、「ＵＬ−ＤＬ構成二７３９として標識され、ＵＬ−ＤＬ構成１は、「ＵＬ−ＤＬ構成一７４１」として標識され、ＵＬ−ＤＬ構成０は、「ＵＬ−ＤＬ構成ゼロ７４３」として標識されている。図７において、ＵＬ−ＤＬ構成二７３９は第一（例えばダウンリンク）基準ＵＬ−ＤＬ構成である。さらに、ＵＬ−ＤＬ構成ゼロ７４３は第二（例えばアップリンク）基準ＵＬ−ＤＬ構成である。さらに、ＵＬ−ＤＬ構成一７４１（例えば「１」）はデフォルト構成である。
【０１３０】
なお、「Ｄ」にマークされたサブフレーム７１９はＤＬサブフレーム７３３を表し、「Ｕ」にマークされたサブフレームはＵＬサブフレーム７３５を表し、「Ｓ」にマークされたサブフレームは標準型特殊サブフレーム７２５を表す。さらに、ＰＵＳＣＨ送信アソシエーションに対するダウンリンク・スケジューリング７４９が示されている。いくつかの実装において、指示サブフレームと当該フレキシブル・サブフレームとの間の間隔設定は、ＰＵＳＣＨ送信アソシエーション７４９に基づくことが可能である。
【０１３１】
この例において、許容される動的ＵＬ−ＤＬ再構成のセットは、ＵＬ−ＤＬ構成二７３９（例えば「２」）、ＵＬ−ＤＬ構成一７４１（例えば「１」）、およびＵＬ−ＤＬ構成ゼロ７４３（例えば「０」）を含む。この許容された動的ＵＬ−ＤＬ再構成のセットに基づいて、ＵＥ１０２およびｅＮＢ１５８は、ＵＬ−ＤＬ構成二７３９として、ＰＤＳＣＨ  ＨＡＲＱ−ＡＣＫに対する第一基準ＵＬ−ＤＬ構成を認識し、構成ゼロ７４３として、ＰＵＳＣＨスケジューリングおよびＰＵＳＣＨ  ＨＡＲＱ−ＡＣＫに対する第二基準ＵＬ−ＤＬ構成を認識する。しかして、この例は、動的ＴＤＤ  ＵＬ−ＤＬ構成に対する相異なる基準ＵＬ−ＤＬ構成を示す。
【０１３２】
図７は、サブフレーム群７１９ａおよびサブフレーム番号７３７ａを有するＵＬ−ＤＬ構成二７３９（例えば「ＵＬ−ＤＬ構成２」）を示す。また、図７は、サブフレーム群７１９ｂおよびサブフレーム番号７３７ｂを有するＵＬ−ＤＬ構成一７４１を示す。図７は、サブフレーム群７１９ｃおよびサブフレーム番号７３７ｃを有するＵＬ−ＤＬ構成ゼロ７４３をさらに示す。
【０１３３】
この例において、第二基準ＵＬ−ＤＬ構成（例えば、アップリンク基準ＵＬ−ＤＬ構成）は、ＵＬ−ＤＬ構成ゼロ７４３とすることができる。これにより、ＵＥ１０２は、前述のように、いくつかの実装において、ＵＬ−ＤＬ構成ゼロ７４３に対応するＰＵＳＣＨ送信アソシエーション７４９に対するダウンリンク・スケジューリングを利用または再使用して、ＰＤＳＣＨスケジュールを決めることができる。上記に換えて、ＵＥ１０２は、前述のように、いくつかの実装において、ＵＬ−ＤＬ構成一７４１（例えばデフォルトＵＬ−ＤＬ構成）に対応するＰＵＳＣＨ送信アソシエーション７４９に対するダウンリンク・スケジューリングを利用または再使用して、ＰＤＳＣＨスケジュールを決めることができる。
【０１３４】
前述の手順によれば、或るサブフレームがフレキシブル・サブフレームであることの判定は、第一基準ＵＬ−ＤＬ構成（ＵＬ−ＤＬ構成二７３９）および第二基準ＵＬ−ＤＬ構成（ＵＬ−ＤＬ構成ゼロ７４３）に基づくことができる。例えば、図７に示されるように、フレキシブル領域７４７はフレキシブル・サブフレーム３〜４および８〜９を含む。サブフレーム３〜４および８〜９は、これらが第一基準ＵＬ−ＤＬ構成（ＵＬ−ＤＬ構成二７３９）と第二基準ＵＬ−ＤＬ構成（ＵＬ−ＤＬ構成ゼロ７４３）との間で異なっているので、フレキシブル・サブフレームである（例えば、ＵＬ−ＤＬ構成二７３９では、文字「Ｄ」で示されるようにこれらサブフレームはダウンリンク・サブフレームであり、ＵＬ−ＤＬ構成ゼロ７４３では、文字「Ｕ」で示されるようにこれらサブフレームはアップリンク・サブフレームである）。
【０１３５】
図８は、本明細書で開示するシステムおよび方法を適用することが可能ないくつかのＵＬ−ＤＬ構成８３９、８４１、８４３、８５１、８５３、８５５、および８５７を示す図である。具体的には、図８は、サブフレーム群８１９ａおよびサブフレーム番号群８３７ａを有するＵＬ−ＤＬ構成ゼロ８４３（例えば「ＵＬ−ＤＬ構成０」）、サブフレーム群８１９ｂおよびサブフレーム番号群８３７ｂを有するＵＬ−ＤＬ構成一８４１（例えば「ＵＬ−ＤＬ構成１」）、サブフレーム群８１９ｃおよびサブフレーム番号群８３７ｃを有するＵＬ−ＤＬ構成二８３９（例えば「ＵＬ−ＤＬ構成２」）、およびサブフレーム群８１９ｄおよびサブフレーム番号群８３７ｄを有するＵＬ−ＤＬ構成三８５１（例えば「ＵＬ−ＤＬ構成３」）を示す。また、図８は、サブフレーム群８１９ｅおよびサブフレーム番号群８３７ｅを有するＵＬ−ＤＬ構成四８５３（例えば「ＵＬ−ＤＬ構成４」）、サブフレーム群８１９ｆおよびサブフレーム番号群８３７ｆを有するＵＬ−ＤＬ構成五８５５（例えば「ＵＬ−ＤＬ構成５」）、およびサブフレーム群８１９ｇおよびサブフレーム番号群８３７ｇを有するＵＬ−ＤＬ構成六８５７（例えば「ＵＬ−ＤＬ構成６」）をも示す。
【０１３６】
図８は、各ＵＬ−ＤＬ構成に対応するＰＵＳＣＨスケジューリング・アソシエーション８４９（例えば、ＰＵＳＣＨ送信アソシエーションに対するダウンリンク・スケジューリング）をさらに示す。なお、便宜上、図８に示された無線フレームの一部は省略している。
【０１３７】
図９は、ＵＥ１０２によってフレキシブル・サブフレームを動的に設定する方法９００の、別のさらに具体的な構成を示すフロー図である。いくつかの実装において、ＵＥ１０２が、固定ダウンリンク・サブフレームと、ダウンリンクに対するＰＤＳＣＨがスケジューリングされたフレキシブル・サブフレームとだけをモニタリングすることによって、エネルギ節減を増大できるように、多数のフレキシブル・サブフレームを備えたネットワークを構成することが可能である。
【０１３８】
いくつかの実装において、ＵＥ１０２は、或るサブフレームがフレキシブル・サブフレームであるかどうかを判定する（ステップ９０２）。例えば、前述のように、ＵＥは、第一基準ＵＬ−ＤＬ構成と第二基準ＵＬ−ＤＬ構成とに基づいて、或るサブフレームがフレキシブル・サブフレームであるかどうかを判定する（ステップ９０２）。ＵＥ１０２が、サブフレームがフレキシブル・サブフレームでないと判定した（ステップ９０２）場合、ＵＥ１０２は、該サブフレームを、その構成に基づいて、ダウンリンク・サブフレーム、特殊サブフレーム、またはアップリンク・サブフレームの一つ以上として用いればよい。この場合、ＵＥ１０２は、そのサブフレームがダウンリンク・サブフレームまたは特殊サブフレームであるかどうかを判定する（ステップ９０４）。ＵＥ１０２が、そのサブフレームはダウンリンク・サブフレームまたは特殊サブフレームでないと判定した（ステップ９０４）場合、ＵＥ１０２は該サブフレームをアップリンク・サブフレームとして用いる（ステップ９０６）。ＵＥ１０２が、そのサブフレームはダウンリンク・サブフレームまたは特殊サブフレームであると判定した（ステップ９０４）場合、ＵＥ１０２は次いで該サブフレームが特殊サブフレームであるかどうかを判定する（ステップ９０８）。ＵＥ１０２が、そのサブフレームは特殊サブフレームであると判定した（ステップ９０８）場合、ＵＥ１０２は、該サブフレームを特殊サブフレームとして用いる（ステップ９１０）。ＵＥ１０２が、そのサブフレームは特殊サブフレームでないと判定した（ステップ９０８）場合、ＵＥ１０２は、該サブフレームをダウンリンク・サブフレームとして用いる（ステップ９１２）。
【０１３９】
ＵＥ１０２が、そのサブフレームはフレキシブル・サブフレームであると判定した（ステップ９０２）場合、ＵＥ１０２は、該フレキシブル・サブフレームに対しＰＵＳＣＨがスケジューリングされているかどうかを判定する（ステップ９１４）。ＵＥ１０２は、アップリンク・グラント・タイミングを有する先行のダウンリンク・サブフレーム中で、ＵＥ１０２に対しアップリンク・グラント（例えば、ＰＵＳＣＨスケジューリングのＤＣＩ０／４）が発行されているかどうかを判定することによって、ＰＵＳＣＨがスケジューリングされているかどうかを判定する（ステップ９１４）。ＵＥ１０２が、ＰＵＳＣＨがスケジューリングされていると判定した（ステップ９１４）場合、ＵＥ１０２は、該フレキシブル・サブフレームをアップリンク・サブフレームとして用いる（ステップ９０６）。これに応じ、ＵＥ１０２は、スケジューリング情報に基づいてＰＵＳＣＨを送信することができる。
【０１４０】
ＵＥ１０２が、当該フレキシブル・サブフレームに対しＰＵＳＣＨがスケジューリングされていないと判定した（ステップ９１４）場合、ＵＥ１０２は、該フレキシブル・サブフレームに対しＰＤＳＣＨがスケジューリングされているかどうかを判定する（ステップ９１６）。これに加えてまたはこれに換えて、ＵＥ１０２は、ＰＤＳＣＨが指示されているかどうかを判定する（ステップ９１６）。本明細書で開示した方法およびシステム（例えば、方法２００、３００、５００、および６００）の一つ以上によって、フレキシブル・サブフレームに対し、ＰＤＳＣＨを指示および／またはスケジューリングすることができる。ＵＥ１０２が、（例えば、ＰＤＣＣＨ（またはＥＰＤＣＣＨ）もしくはダウンリンク指示（またはダウンリンク・グラント）を有する指示サブフレームによって）ＰＤＳＣＨが指示および／またはスケジューリングされていると判定した（ステップ９１６）場合、ＵＥ１０２は、該フレキシブル・サブフレームをダウンリンク・サブフレームとして用いる（ステップ９１２）。フレキシブル・サブフレームをダウンリンク・サブフレームとして用いること（ステップ９１２）は、ダウンリンクをモニタリングおよび受信すること、並びに、ＵＥに対するＰＤＳＣＨがスケジューリングされている場合にあっては、そのフレキシブル・サブフレーム中のＰＤＳＣＨを復号することを含んでもよい。
【０１４１】
ＵＥ１０２が、フレキシブル・サブフレームに対してＰＤＳＣＨがスケジューリングされていないと判定した（ステップ９１６）場合、ＵＥ１０２は、そのフレキシブル・サブフレームを未使用の（またはミュートの）サブフレームとしてマークする（ステップ９１８）。これに加えてまたはこれに換えて、ＵＥ１０２が、当該フレキシブル・サブフレームに対しＰＤＳＣＨが指示されていないと判定した（ステップ９１６）場合にも、ＵＥ１０２は、そのフレキシブル・サブフレームを未使用の（またはミュートの）サブフレームとしてマークする（ステップ９１８）。この例において、ＵＥ１０２は、そのフレキシブル・サブフレームをモニタリングする必要はない。例えば、ＵＥ１０２は、未使用サブフレームのＰＤＣＣＨおよび（またはＥＰＤＣＣＨ）について、未使用の（またはミュートの）サブフレームをモニタリングしなくてもよい。したがって、ＵＥ１０２は、そのフレキシブル・サブフレーム中の情報を送信も受信もしなくてよい。
【０１４２】
（例えば、ＵＥ１０２の特殊ＰＤＳＣＨスケジューリングに対する）いくつかの実装においては、対象となるＵＥ１０２だけが、フレキシブル・サブフレーム中のダウンリンクをモニタリングし受信する必要がある。他のＵＥ１０２（例えば対象外のＵＥ１０２）は、当該フレキシブル・サブフレームをミュートされたサブフレームとして取り扱えばよい。
【０１４３】
なお、ｅＩＭＴＡ機能を備えたセルが、典型的なＴＤＤ  ＵＬ−ＤＬ構成に従う場合、本明細書に記載した方法２００、３００、５００、６００、および９００の一つ以上を拡張して、アップリンク・サブフレームをダウンリンク・サブフレームに転換することが可能である。例えば、デフォルトＵＬ−ＤＬ構成が提供される場合、フレキシブル・サブフレームのデフォルトの方向はダウンリンクにすることもまたはアップリンクにすることも可能である。或るフレキシブル・サブフレームがデフォルト構成においてアップリンク・サブフレームであったとしても、ｅＩＭＴＡを用いて、そのフレキシブル・サブフレームに、クロスＴＴＩおよび／またはマルチＴＴＩ  ＰＤＳＣＨスケジューリングを適用することができる。また、上記により、クロスＴＴＩおよび／またはマルチＴＴＩ  ＰＤＳＣＨスケジューリングが、ｅＩＭＴＡを用い、アップリンク・サブフレームをダウンリンク・サブフレームに転換することも可能である。したがって、より良好なエネルギ節減のために、より大きなアップリンク割り当てを有する、ｅＩＭＴＡ機能を備えたセルを構成することができ、これにより、本明細書に開示の方法を使って、トラフィック・アダプテーションのため動的にアップリンクからダウンリンクへの転換を可能にすることができる。
【０１４４】
図１０は、ＰＤＳＣＨ１０６３の指示およびスケジューリングのうちの一つ以上のためのサブフレーム１０６７のいくつかの例１０５９を示す。第一例１０５９ａは、第一ＰＤＣＣＨ１０６１ａもしくは第一ＥＰＤＣＣＨ１０６５ａが、同じサブフレーム１０６７中に第一ＰＤＳＣＨ１０６３ａをスケジューリングする、２つの実装を表す。例えば、ＬＴＥリリース１１（Ｒｅｌ−１１）およびそれ以前のリリースでは、ＰＤＳＣＨスケジューリングは、同じサブフレーム１０６７ａ〜ｂまたはＴＴＩ中の、ＰＤＣＣＨ１０６１ａもしくはＥＰＤＣＣＨ１０６５ａによってシグナリングすることが可能である。
【０１４５】
第一実装において、第一サブフレーム１０６７ａは、セル１０６９ａ中に含まれる。この実装において、第一ＰＤＣＣＨ１０６１ａは、矢印線１０７１ａで示されるように、第一サブフレーム１０６７ａ中の第一ＰＤＳＣＨ１０６３ａをスケジューリングすることができる。第二実装において、第二サブフレーム１０６７ｂ中の第一ＥＰＤＣＣＨ１０６５ａは、矢印線１０７１ｂで示されるように、第二サブフレーム１０６７ｂ中の第一ＰＤＳＣＨ１０６３ａをスケジューリングすることができる。これらの実装において、ＰＤＳＣＨのスケジューリングは、ＤＣＩフォーマット１／１Ａ／１Ｂ／１Ｃ／１Ｄ／２／２Ａ／２Ｂ／２Ｃ／２Ｄの一つ以上を使用できる第一ＰＤＣＣＨ１０６１ａおよび第一ＥＰＤＣＣＨ１０６５ａによってシグナリングされる。
【０１４６】
いくつかの実装において、セカンダリセル（例えばＳＣｅｌｌ）上の第二ＰＤＳＣＨ１０６３ｂは、別のセル（例えばスケジューリング・セル１０６９ｂ）からの、第二ＰＤＣＣＨ１０６１ｂまたは第二ＥＰＤＣＣＨ１０６５ｂによってクロスキャリア・スケジューリングすることができる。この第二例１０５９ｂは、クロスキャリア・スケジューリングの２つの実装を示す。第一実装において、スケジューリング・セル１０６９ｂの第一サブフレーム１０６７ｃ中の第二ＰＤＣＣＨ１０６１ｂは、矢印線１０７１ｃで示されるように、スケジューリング対象セル１０６９ｃの第一サブフレーム１０６７ｃの第二ＰＤＳＣＨ１０６３ｂをスケジューリングすることができる。第二実装において、スケジューリング・セル１０６９ｂの第二サブフレーム１０６７ｄの第二ＥＰＤＣＣＨ１０６５ｂは、矢印線１０７１ｄで示されるように、スケジューリング対象セル１０６９ｃの第二サブフレーム１０６７ｃの第二ＰＤＳＣＨ１０６３ｂをスケジューリングすることができる。これらの実装において、第二ＰＤＣＣＨ１０６１ｂおよび第二ＥＰＤＣＣＨ１０６５ｂは、ＤＣＩフォーマット１／１Ａ／１Ｂ／１Ｃ／１Ｄ／２／２Ａ／２Ｂ／２Ｃ／２Ｄの一つ以上の使用が可能である。
【０１４７】
第一例１０５９ａおよび第二例１０５９ｂに示されるように、ＰＤＳＣＨ１０６３ａ〜ｂは、同一のサブフレーム１０６７ａ〜ｄ（例えば、同一の遷移時間間隔（ＴＴＩ：ｔｒａｎｓｉｔｉｏｎ  ｔｉｍｅ  ｉｎｔｅｒｖａｌ））中にダウンリンクとしてスケジューリングすることができる。これらの例において、フレキシブル・サブフレーム中に、所与のＵＥ１０２に対するＰＵＳＣＨがスケジューリングされていない場合、ＵＥ１０２は、フレキシブル・サブフレーム中のＰＤＣＣＨ１０６１ａ〜ｂ（またはＥＰＤＣＣＨ１０６５ａ〜ｂ）をモニタリングし、受信し、復号を試みる必要があろう。さらに、フレキシブル・サブフレーム中にＰＵＳＣＨ送信がスケジューリングされていない場合、ｅＮＢ１５８は、送信対象のデータが無い場合にあっても、ＰＤＣＣＨ１０６１ａ〜ｂ（またはＥＰＤＣＣＨ１０６５ａ〜ｂ）を送信する必要があろう。これは、ｅＮＢ１５８およびＵＥ１０２の双方に対し、不必要なデータ処理およびエネルギ・コストを生じさせる可能性がある。
【０１４８】
いくつかの実装において、ＰＤＣＣＨまたはＥＰＤＣＣＨは、別個のサブフレーム中にＰＤＳＣＨをスケジューリングすることができる。例えば、いくつかの実装（例えば、クロスＴＴＩ  ＰＤＳＣＨスケジューリング）では、ダウンリンク・サブフレーム「ｎ」（例えばフレキシブル・サブフレーム）に対するＰＤＳＣＨ送信およびリソース割り当ては、先行サブフレーム「ｎ−ｋ」（例えばスケジューリング・サブフレーム）のＰＤＣＣＨまたはＥＰＤＣＣＨによってスケジューリングすることが可能である。第三例１０５９ｃにおいて、フレキシブル・サブフレーム１０６７ｆに対する第三ＰＤＳＣＨ１０６３ｃは、先行サブフレーム（例えばスケジューリング・サブフレーム１０６７ｅ）の第三ＰＤＣＣＨ１０６１ｃ（または第三ＥＰＤＣＣＨ１０６５ｃ）によってスケジューリングすることができる。いくつかの実装において、スケジューリング・サブフレーム１０６７ｅは、ＰＤＳＣＨをスケジューリングするＰＤＣＣＨを含む、（例えば、当該フレキシブル・サブフレームに対するＰＤＳＣＨを指示する）指示サブフレームとすることが可能である。第三例１０５９ｃは、クロスＴＴＩスケジューリングの２つの実装を示す。第一実装において、第一セル１０６９ｄのスケジューリング・サブフレーム１０６７ｅ中の第三ＰＤＣＣＨ１０６１ｃは、矢印線１０７１ｅで示されるように、フレキシブル・サブフレーム１０６７ｆの第一セル１０６９ｄの第三ＰＤＳＣＨ１０６３ｃをスケジューリングすることができる。第二実装において、第二セル１０６９ｅのスケジューリング・サブフレーム１０６７ｅ中の第三ＥＰＤＣＣＨ１０６５ｃは、矢印線１０７１ｆで示されるように、フレキシブル・サブフレーム１０６７ｆの第二セル１０６９ｅの第三ＰＤＳＣＨ１０６３ｃをスケジューリングすることができる。
【０１４９】
この方式のクロスＴＴＩ  ＰＤＳＣＨスケジューリングは有益であり得る。というのは、先行のサブフレームによって何もスケジューリングされていない場合は、ＵＥ１０２が、フレキシブル・サブフレーム中のＰＤＣＣＨをモニタリングして復号を試みる必要性を軽減するからである。同様に、スケジューリング・サブフレーム中に何もスケジューリングされていない場合、ｅＮＢ１５８は、フレキシブル・サブフレーム中でＰＤＣＣＨを送信する必要はない。したがって、ＵＥ１０２は、ダウンリンクがスケジューリングされている場合に、該ダウンリンクについてフレキシブル・サブフレームをモニタリングする必要があるだけであり、ｅＮＢ１５８は、ＰＤＣＣＨがスケジューリングされている場合に、特殊サブフレーム中で該ＰＤＣＣＨを送信する必要があるだけなので、データ処理およびエネルギが節約される。
【０１５０】
図１１は、ＵＥ１１０２中で使用可能な様々なコンポーネントを示す。図１１に関連して説明するＵＥ１１０２は、図１に関連して説明したＵＥ１０２に従って実装することができる。ＵＥ１１０２は、ＵＥ１１０２のオペレーションを制御するプロセッサ１１７３を含む。プロセッサ１１７３は、中央処理装置（ＣＰＵ：ｃｅｎｔｒａｌ  ｐｒｏｃｅｓｓｉｎｇ  ｕｎｉｔ）と称されることもある。メモリ１１７９は、読み取り専用メモリ（ＲＯＭ：ｒｅａｄ−ｏｎｌｙ  ｍｅｍｏｒｙ）、ランダム・アクセス・メモリ（ＲＡＭ：ｒａｎｄｏｍ  ａｃｃｅｓｓ  ｍｅｍｏｒｙ）、これら２つの組合せ、または情報を格納することの可能な任意の種類のデバイスを含むことができ、プロセッサ１１７３に命令１１７５ａおよびデータ１１７７ａを提供する。また、メモリ１１７９の一部には、不揮発性ランダム・アクセス・メモリ（ＮＶＲＡＭ：ｎｏｎ−ｖｏｌａｔｉｌｅ  ｒａｎｄｏｍ  ａｃｃｅｓｓ  ｍｅｍｏｒｙ）を含めることができる。また、命令１１７５ｂおよびデータ１１７７ｂはプロセッサ１１７３中に常駐させることが可能である。プロセッサ１１７３の中にロードされた命令１１７５ｂおよび／またはデータ１１７７ｂは、プロセッサ１１７３による実行または処理のためロードされたメモリ１１７９からの命令１１７５ａおよび／またはデータ１１７７ａも含むことができる。命令１１７５ｂは、プロセッサ１１７３によって実行され、前述した方法２００、５００、および９００のうちの一つ以上を実装することができる。
【０１５１】
また、ＵＥ１１０２には、データの送信および受信を可能にするため、一つ以上のトランスミッタ１１８７および一つ以上のレシーバ１１８９を包含するハウジングを含めることが可能である。トランスミッタ（群）１１８７およびレシーバ（群）１１８９は、一つ以上のトランシーバ１１８５に組み合わせることができる。一つ以上のアンテナ１１９１ａ〜ｎが、ハウジングに取り付けられてトランシーバ１１８５に電気的に連結される。
【０１５２】
ＵＥ１１０２の様々なコンポーネントは、バス・システム１１９３によって一緒に連結され、該バス・システムは、データ・バスに加え、電力バス、制御信号バス、および状態信号バスを含んでもよい。但し、簡潔化のため、図１１では、これら各種のバスはバス・システム１１９３として示されている。また、ＵＥ１１０２には、信号処理で用いるため、デジタル信号プロセッサ（ＤＳＰ：ｄｉｇｉｔａｌ  ｓｉｇｎａｌ  ｐｒｏｃｅｓｓｏｒ）１１８１を含めることも可能である。さらに、ＵＥ１１０２には、ユーザにＵＥ１１０２の諸機能へのアクセスを提供する通信インターフェース１１８３を含めることができる。図１１に示されたＵＥ１１０２は、特定のコンポーネントのリスティングと言うよりはむしろ機能ブロック図である。
【０１５３】
図１２は、ｅＮＢ１２５８中で使用可能な様々なコンポーネントを示す。図１２に関連して説明するｅＮＢ１２５８は、図１に関連して説明したｅＮＢ１５８に従って実装することができる。ｅＮＢ１２５８は、ｅＮＢ１２５８のオペレーションを制御するプロセッサ１２７３を含む。プロセッサ１２７３は、中央処理装置（ＣＰＵ）と称されることもある。メモリ１２７９は、読み取り専用メモリ（ＲＯＭ）、ランダム・アクセス・メモリ（ＲＡＭ）、これら２つの組合せ、または情報を格納することの可能な任意の種類のデバイスを含むことができ、プロセッサ１２７３に命令１２７５ａおよびデータ１２７７ａを提供する。また、メモリ１２７９の一部には、不揮発性ランダム・アクセス・メモリ（ＮＶＲＡＭ）を含めることができる。また、命令１２７５ｂおよびデータ１２７７ｂはプロセッサ１２７３中に常駐させることが可能である。プロセッサ１２７３中にロードされた命令１２７５ｂおよび／またはデータ１２７７ｂは、プロセッサ１２７３による実行または処理のためロードされたメモリ１２７９からの命令１２７５ａおよび／またはデータ１２７７ａも含むことができる。命令１２７５ｂは、プロセッサ１２７３によって実行され、前述した方法３００および６００のうちの一つ以上を実装することができる。
【０１５４】
また、ｅＮＢ１２５８には、データの送信および受信を可能にするため、一つ以上のトランスミッタ１２８７および一つ以上のレシーバ１２８９を包含するハウジングを含めることが可能である。トランスミッタ（群）１２８７およびレシーバ（群）１２８９は、一つ以上のトランシーバ１２８５に組み合わせることができる。一つ以上のアンテナ１２９１ａ〜ｎがハウジングに取り付けられてトランシーバ１２８５に電気的に連結される。
【０１５５】
ｅＮＢ１２５８の様々なコンポーネントは、バス・システム１２９３によって一緒に連結され、該バス・システムは、データ・バスに加え、電力バス、制御信号バス、および状態信号バスを含んでもよい。但し、簡潔化のため、図１２では、これら各種のバスはバス・システム１２９３として示されている。また、ｅＮＢ１２５８には、信号処理で用いるため、デジタル信号プロセッサ（ＤＳＰ）１２８１を含めることも可能である。さらに、ｅＮＢ１２５８には、ユーザにｅＮＢ１２５８の諸機能へのアクセスを提供する通信インターフェース１２８３を含めることができる。図１２に示されたｅＮＢ１２５８は、特定のコンポーネントのリスティングと言うよりはむしろ機能ブロック図である。
【０１５６】
図１３は、フレキシブル・サブフレームを動的に設定するためのシステムおよび方法の実装が可能な、ＵＥ１３０２の一構成を示すブロック図である。ＵＥ１３０２は、送信手段１３９５、受信手段１３９７、および制御手段１３９９を含む。送信手段１３９５、受信手段１３９７、および制御手段１３９９は、図２、図５、図９、および図１２に関連して説明した機能の一つ以上を実施するように構成することができる。上記の図１２は、図１３の具体的な装置構造体の一例を示している。図２、図５、図９、および図１２の機能の一つ以上を実現するため、他の様々な構造体を実装することができる。例えば、ＤＳＰをソフトウェアで実現することが可能である。
【０１５７】
図１４は、フレキシブル・サブフレームを動的に設定するためのシステムおよび方法の実装が可能な、ｅＮＢ１４５８の一構成を示すブロック図である。ｅＮＢ１４５８は、送信手段１４９５、受信手段１４９７、および制御手段１４９９を含む。送信手段１４９５、受信手段１４９７、および制御手段１４９９は、図３、図６、および図１１に関連して説明した機能の一つ以上を実施するように構成することができる。上記の図１１は、図１４の具体的な装置構造体の一例を示している。図３、図６、および図１１の機能の一つ以上を実現するため、他の様々な構造体を実装することができる。例えば、ＤＳＰをソフトウェアで実現することが可能である。
【０１５８】
用語「コンピュータ可読媒体」とは、コンピュータまたはプロセッサによってアクセスが可能な任意の利用可能媒体を言う。本明細書で用いる用語「コンピュータ可読媒体」は、持続性で有形のコンピュータおよび／またはプロセッサ可読媒体を表す。例であって限定ではないが、コンピュータ可読媒体またはプロセッサ可読媒体は、ＲＡＭ、ＲＯＭ、ＥＥＰＲＯＭ、ＣＤ−ＲＯＭ、もしくは他の光ディスク・ストレージ、磁気ディスク・ストレージもしくは他の磁気ストレージ・デバイス、または命令もしくはデータ構造体の形の所望のプログラム・コードを伝達もしくは格納するために使用可能で且つコンピュータもしくはプロセッサによってアクセスできる任意の他の媒体を含むことができる。本明細書で用いるディスク（ｄｉｓｋおよびｄｉｓｃ）は、コンパクト・ディスク（ＣＤ：ｃｏｍｐａｃｔ  ｄｉｓｃ）、レーザ・ディスク、光ディスク、デジタル多用途ディスク（ＤＶＤ：ｄｉｇｉｔａｌ  ｖｅｒｓａｔｉｌｅ  ｄｉｓｃ）、フロッピ・ディスク、およびブルーレイ（登録商標）ディスクを含み、ｄｉｓｋは通常、データを磁気的に再生し、ｄｉｓｃはレーザを使ってデータを光学的に再生する。
【０１５９】
なお、本明細書で説明した方法の一つ以上は、ハードウェア中に実装すること、および／またはハードウェアを用いて実施することができる。例えば、本明細書で説明した方法の一つ以上は、チップセット、特定用途向け集積回路（ＡＳＩＣ）、大規模集積回路（ＬＳＩ）または集積回路などに実装すること、および／またはこれらを使って実現することが可能である。
【０１６０】
本明細書で開示した方法の各々は、記載された方法を達成するための一つ以上のステップまたは処置を含む。これら方法のステップおよび／または処置は、特許請求の範囲から逸脱することなく、相互に入れ替えたり、および／または単一のステップに組み合わせたりすることができる。換言すれば、記載されている方法の適切なオペレーションのために、ステップまたは処置の特定の順序が必要とされる場合を除き、特許請求の範囲から逸脱することなく、特定のステップおよび／または処置の順序および／または使用を変更することが可能である。
【０１６１】
当然のことながら、特許請求の範囲は、前述したとおりの構成およびコンポーネントに限定されるものでない。特許請求の範囲から逸脱することなく、本明細書に記載されたシステム、方法および装置の配置、オペレーションおよび細部に、様々な修改、変更、および変形を加えることが可能である。
【図１】
2016503246.tif 000005
【図２】
2016503246.tif 000006
【図３】
2016503246.tif 000007
【図４】
2016503246.tif 000008
【図５】
2016503246.tif 000009
【図６】
2016503246.tif 000010
【図７】
2016503246.tif 000011
【図８】
2016503246.tif 000012
【図９】
2016503246.tif 000013
【図１０】
2016503246.tif 000014
【図１１】
2016503246.tif 000015
【図１２】
2016503246.tif 000016
【図１３】
2016503246.tif 000017
【図１４】
2016503246.tif 000018
【国際調査報告】
2016503246.tif 000019